(57)【要約】      （修正有）【課題】部分および完全サブフレームにおける制御チャネル構成を提供する。【解決手段】無線デバイスは、拡張型物理ダウンリンク制御チャネル（ｅＰＤＣＣＨ）のための開始シンボルを示すフィールドを備える、少なくとも１つの無線リソース制御（ＲＲＣ）メッセージを受信する。無線デバイスは、サブフレームの中でｅＰＤＣＣＨ信号を受信する。ｅＰＤＣＣＨは、サブフレームが完全サブフレームであるときに開始シンボルから開始する。ｅＰＤＣＣＨは、サブフレームが部分サブフレームであるときにオフセット値を加えた開始シンボルから開始する。【選択図】図１１
2019068467.tif 000002
【特許請求の範囲】
【請求項１】
無線デバイス（４０６）によって、拡張型物理ダウンリンク制御チャネル（ｅＰＤＣＣＨ）のための開始シンボルを示すフィールドを備える、少なくとも１つの無線リソース制御（ＲＲＣ）メッセージを受信するステップと、
サブフレームの中でｅＰＤＣＣＨ信号を受信するステップと
を含む方法であって、
前記ｅＰＤＣＣＨは、前記サブフレームが完全サブフレームであるときに前記開始シンボルから開始し、
前記ｅＰＤＣＣＨは、前記サブフレームが部分サブフレームであるときに非ゼロオフセットシンボル値を加えた前記開始シンボルから開始する、方法。
【請求項２】
前記少なくとも１つのＲＲＣメッセージはさらに、前記ｅＰＤＣＣＨのためのリソースブロック（ＲＢ）を示す１つまたはそれを上回るパラメータを備える、構成パラメータを備え、
前記１つまたはそれを上回るパラメータは、ＲＢペアの１つまたは２つのセットを示し、
前記開始シンボルを示す前記フィールドは、前記ＲＢペアの１つまたは２つのセットに適用可能である、請求項１に記載の方法。
【請求項３】
前記少なくとも１つのＲＲＣメッセージは、前記サブフレームの中の伝送の１つまたはそれを上回る可能な開始位置を示す、パラメータを備え、前記パラメータは、前記非ゼロオフセットシンボル値を判定するために前記無線デバイスによって採用される、請求項１または２に記載の方法。
【請求項４】
無線デバイス（４０６）であって、
１つまたはそれを上回るプロセッサと、
命令を記憶するメモリであって、前記命令は、実行されると、前記無線デバイスに、
拡張型物理ダウンリンク制御チャネル（ｅＰＤＣＣＨ）のための開始シンボルを示すフィールドを備える、少なくとも１つの無線リソース制御（ＲＲＣ）メッセージを受信することと、
サブフレームの中でｅＰＤＣＣＨ信号を受信することと
を行わせる、メモリと
を備え、
前記ｅＰＤＣＣＨは、前記サブフレームが完全サブフレームであるときに前記開始シンボルから開始し、
前記ｅＰＤＣＣＨは、前記サブフレームが部分サブフレームであるときに非ゼロオフセットシンボル値を加えた前記開始シンボルから開始する、無線デバイス。
【請求項５】
前記少なくとも１つのＲＲＣメッセージはさらに、前記ｅＰＤＣＣＨのためのリソースブロック（ＲＢ）を示す１つまたはそれを上回るパラメータを備える、構成パラメータを備え、
前記少なくとも１つまたはそれを上回るパラメータは、ＲＢペアの１つまたは２つのセットを示し、
前記開始シンボルを示す前記フィールドは、前記ＲＢペアの１つまたは２つのセットに適用可能である、請求項４に記載の無線デバイス。
【請求項６】
前記少なくとも１つのＲＲＣメッセージは、前記サブフレームの中の伝送の１つまたはそれを上回る可能な開始位置を示す、パラメータを備え、前記パラメータは、前記非ゼロオフセットシンボル値を判定するために前記無線デバイスによって採用される、請求項４または５に記載の無線デバイス。
【請求項７】
前記命令は、実行されると、さらに前記無線デバイスに、前記サブフレームが前記完全サブフレームであるかまたは前記部分サブフレームであるかを検出させる、請求項４〜６のいずれかに記載の無線デバイス。
【請求項８】
前記命令は、実行されると、さらに前記無線デバイスに、前記サブフレームの中で物理ダウンリンク共有チャネル（ＰＤＳＣＨ）を受信させ、
前記開始シンボルはさらに、前記サブフレームの中のＰＤＳＣＨ開始シンボルを判定するために採用され、
前記ＰＤＳＣＨは、前記サブフレームが前記完全サブフレームであるときに前記開始シンボルから開始し、
前記ＰＤＳＣＨは、前記サブフレームが前記部分サブフレームであるときに前記非ゼロオフセットシンボル値を加えた前記開始シンボルから開始する、請求項４〜７のいずれかに記載の無線デバイス。
【請求項９】
基地局（４００）によって、拡張型物理ダウンリンク制御チャネル（ｅＰＤＣＣＨ）のための開始シンボルを示すフィールドを備える、少なくとも１つの無線リソース制御（ＲＲＣ）メッセージを伝送するステップと、
サブフレームの中でｅＰＤＣＣＨ信号を伝送するステップと
を含む方法であって、
前記ｅＰＤＣＣＨは、前記サブフレームが完全サブフレームであるときに前記開始シンボルから開始し、
前記ｅＰＤＣＣＨは、前記サブフレームが部分サブフレームであるときに非ゼロオフセットシンボル値を加えた前記開始シンボルから開始する、方法。
【請求項１０】
前記少なくとも１つのＲＲＣメッセージはさらに、前記ｅＰＤＣＣＨのためのリソースブロック（ＲＢ）を示す１つまたはそれを上回るパラメータを備える、構成パラメータを備え、
前記１つまたはそれを上回るパラメータは、ＲＢペアの１つまたは２つのセットを示し、
前記開始シンボルを示す前記フィールドは、前記ＲＢペアの１つまたは２つのセットに適用可能である、請求項９に記載の方法。
【請求項１１】
前記少なくとも１つのＲＲＣメッセージは、前記サブフレームの中の伝送の１つまたはそれを上回る可能な開始位置を示す、パラメータを備え、前記パラメータは、前記非ゼロオフセットシンボル値を判定するために前記無線デバイスによって採用される、請求項９または１０に記載の方法。
【請求項１２】
基地局（４００）であって、
１つまたはそれを上回るプロセッサと、
命令を記憶するメモリであって、前記命令は、実行されると、前記基地局に、
拡張型物理ダウンリンク制御チャネル（ｅＰＤＣＣＨ）のための開始シンボルを示すフィールドを備える、少なくとも１つの無線リソース制御（ＲＲＣ）メッセージを伝送することと、
サブフレームの中でｅＰＤＣＣＨ信号を伝送することと
を行わせる、メモリと
を備え、
前記ｅＰＤＣＣＨは、前記サブフレームが完全サブフレームであるときに前記開始シンボルから開始し、
前記ｅＰＤＣＣＨは、前記サブフレームが部分サブフレームであるときに非ゼロオフセットシンボル値を加えた前記開始シンボルから開始する、基地局。
【請求項１３】
前記少なくとも１つのＲＲＣメッセージはさらに、前記ｅＰＤＣＣＨのためのリソースブロック（ＲＢ）を示す１つまたはそれを上回るパラメータを備える、構成パラメータを備え、
前記１つまたはそれを上回るパラメータは、ＲＢペアの１つまたは２つのセットを示し、
前記開始シンボルを示す前記フィールドは、前記ＲＢペアの１つまたは２つのセットに適用可能である、請求項１２に記載の基地局。
【請求項１４】
前記少なくとも１つのＲＲＣメッセージは、前記サブフレームの中の伝送の１つまたはそれを上回る可能な開始位置を示す、パラメータを備え、前記パラメータは、前記非ゼロオフセットシンボル値を判定するために前記無線デバイスによって採用される、請求項１２または１３に記載の基地局。
【請求項１５】
前記命令は、実行されると、さらに前記基地局に、前記サブフレームの中で物理ダウンリンク共有チャネル（ＰＤＳＣＨ）を伝送させ、
前記開始シンボルはさらに、前記サブフレームの中のＰＤＳＣＨ開始シンボルを判定するために採用され、
前記ＰＤＳＣＨは、前記サブフレームが前記完全サブフレームであるときに前記開始シンボルから開始し、
前記ＰＤＳＣＨは、前記サブフレームが前記部分サブフレームであるときに前記非ゼロオフセットシンボル値を加えた前記開始シンボルから開始する、請求項１２〜１４のいずれかに記載の基地局。
【発明の詳細な説明】
【技術分野】
【０００１】
（関連出願の相互参照）
本願は、２０１５年１０月１７日に出願された米国仮出願第６２／２４３，０２８号の利益を主張するものであり、該米国仮出願は、その全体が参照により本明細書中に援用される。
【発明の概要】
【課題を解決するための手段】
【０００２】
本発明の例示的実施形態は、種々の物理層変調および伝送機構を使用して実装されてもよい。例示的伝送機構は、ＣＤＭＡ、ＯＦＤＭ、ＴＤＭＡ、ウェーブレット技術、および／または同等物を含んでもよいが、それらに限定されない。ＴＤＭＡ／ＣＤＭＡおよびＯＦＤＭ／ＣＤＭＡ等のハイブリッド伝送機構もまた、採用されてもよい。種々の変調スキームが、物理層内の信号伝送のために適用されてもよい。変調スキームの実施例は、位相、振幅、コード、これらの組み合わせ、および／または同等物を含んでもよいが、それらに限定されない。例示的無線伝送方法は、ＢＰＳＫ、ＱＰＳＫ、１６−ＱＡＭ、６４−ＱＡＭ、２５６−ＱＡＭ、および／または同等物を使用して、ＱＡＭを実装し得る。物理無線伝送は、伝送要件および無線条件に応じて、変調およびコーディングスキームを動的または半動的に変化させることによって強化され得る。
本発明は、例えば、以下を提供する。
（項目１）
無線デバイスによって、拡張型物理ダウンリンク制御チャネル（ｅＰＤＣＣＨ）のための開始シンボルを示すフィールドを備える、少なくとも１つの無線リソース制御（ＲＲＣ）メッセージを受信するステップと、
サブフレームの中でｅＰＤＣＣＨ信号を受信するステップと
を含み、
上記ｅＰＤＣＣＨは、上記サブフレームが完全サブフレームであるときに上記開始シンボルから開始し、
上記ｅＰＤＣＣＨは、上記サブフレームが部分サブフレームであるときにオフセット値を加えた上記開始シンボルから開始する、方法。
（項目２）
上記少なくとも１つのＲＲＣメッセージはさらに、上記ｅＰＤＣＣＨのためのリソースブロック（ＲＢ）を示す１つまたはそれを上回るパラメータを備える、構成パラメータを備える、項目１に記載の方法。
（項目３）
上記少なくとも１つまたはそれを上回るパラメータは、ＲＢペアの１つまたは２つのセットを示す、項目２に記載の方法。
（項目４）
上記開始シンボルを示す上記フィールドは、上記ＲＢペアの１つまたは２つのセットに適用可能である、項目３に記載の方法。
（項目５）
上記少なくとも１つまたはそれを上回るパラメータは、
いくつかのＲＢペアを示す、第１のパラメータと、
ＲＢ割当を識別するインデックスを示す、第２のパラメータと
を備える、項目２に記載の方法。
（項目６）
上記少なくとも１つのＲＲＣメッセージは、上記サブフレームの中の伝送の１つまたはそれを上回る可能な開始位置を示す、パラメータを備え、上記パラメータは、上記オフセット値を判定するために上記無線デバイスによって採用される、項目１に記載の方法。
（項目７）
上記オフセット値は、７である、項目１に記載の方法。
（項目８）
上記無線デバイスによって、上記サブフレームが上記完全サブフレームであるかまたは上記部分サブフレームであるかを検出するステップをさらに含む、項目１に記載の方法。（項目９）
上記サブフレームの中で物理ダウンリンク共有チャネル（ＰＤＳＣＨ）を受信するステップをさらに含み、
上記開始シンボルはさらに、上記サブフレームの中のＰＤＳＣＨ開始シンボルを判定するために採用され、
上記ＰＤＳＣＨは、上記サブフレームが上記完全サブフレームであるときに上記開始シンボルから開始し、
上記ＰＤＳＣＨは、上記サブフレームが上記部分サブフレームであるときに上記オフセット値を加えた上記開始シンボルから開始する、
項目１に記載の方法。
（項目１０）
上記少なくとも１つのＲＲＣメッセージはさらに、１つまたはそれを上回るサブフレームを備えるサブフレームパターンを示す、少なくとも１つの第２のパラメータを備え、上記１つまたはそれを上回るサブフレームは、上記サブフレームを備える、項目１に記載の方法。
（項目１１）
上記少なくとも１つのＲＲＣメッセージは、セルの構成パラメータを備え、上記セルは、認可支援アクセス（ＬＡＡ）セルである、項目１に記載の方法。
（項目１２）
上記部分サブフレームは、上記オフセット値から開始する、項目１に記載の方法。
（項目１３）
上記サブフレームは、時間の中で２つのスロットを備え、各スロットは、複数のシンボルを備える、項目１に記載の方法。
（項目１４）
上記ｅＰＤＣＣＨの中で受信されるダウンリンク許可を採用するＰＤＳＣＨの中で、１つまたはそれを上回るダウンリンクトランスポートブロックを受信するステップをさらに含む、項目１に記載の方法。
（項目１５）
無線デバイスであって、
１つまたはそれを上回るプロセッサと、
命令を記憶するメモリであって、上記命令は、実行されると、上記無線デバイスに、
拡張型物理ダウンリンク制御チャネル（ｅＰＤＣＣＨ）のための開始シンボルを示すフィールドを備える、少なくとも１つの無線リソース制御（ＲＲＣ）メッセージを受信することと、
サブフレームの中でｅＰＤＣＣＨ信号を受信することと
を行わせる、メモリと
を備え、
上記ｅＰＤＣＣＨは、上記サブフレームが完全サブフレームであるときに上記開始シンボルから開始し、
上記ｅＰＤＣＣＨは、上記サブフレームが部分サブフレームであるときにオフセット値を加えた上記開始シンボルから開始する、無線デバイス。
（項目１６）
上記少なくとも１つのＲＲＣメッセージはさらに、上記ｅＰＤＣＣＨのためのリソースブロック（ＲＢ）を示す１つまたはそれを上回るパラメータを備える、構成パラメータを備える、項目１に記載の無線デバイス。
（項目１７）
上記少なくとも１つまたはそれを上回るパラメータは、ＲＢペアの１つまたは２つのセットを示す、項目１６に記載の無線デバイス。
（項目１８）
上記開始シンボルを示す上記フィールドは、上記ＲＢペアの１つまたは２つのセットに適用可能である、項目１７に記載の無線デバイス。
（項目１９）
上記少なくとも１つまたはそれを上回るパラメータは、
いくつかのＲＢペアを示す、第１のパラメータと、
ＲＢ割当を識別するインデックスを示す、第２のパラメータと
を備える、項目１６に記載の無線デバイス。
（項目２０）
上記少なくとも１つのＲＲＣメッセージは、上記サブフレームの中の伝送の１つまたはそれを上回る可能な開始位置を示す、パラメータを備え、上記パラメータは、上記オフセット値を判定するために上記無線デバイスによって採用される、項目１５に記載の無線デバイス。
（項目２１）
上記オフセット値は、７である、項目１５に記載の無線デバイス。
（項目２２）
上記命令は、実行されると、さらに上記無線デバイスに、上記サブフレームが上記完全サブフレームであるかまたは上記部分サブフレームであるかを検出させる、項目１５に記載の無線デバイス。
（項目２３）
上記命令は、実行されると、さらに上記無線デバイスに、上記サブフレームの中で物理ダウンリンク共有チャネル（ＰＤＳＣＨ）を受信させ、
上記開始シンボルはさらに、上記サブフレームの中のＰＤＳＣＨ開始シンボルを判定するために採用され、
上記ＰＤＳＣＨは、上記サブフレームが上記完全サブフレームであるときに上記開始シンボルから開始し、
上記ＰＤＳＣＨは、上記サブフレームが上記部分サブフレームであるときに上記オフセット値を加えた上記開始シンボルから開始する、
項目１５に記載の無線デバイス。
（項目２４）
上記少なくとも１つのＲＲＣメッセージはさらに、１つまたはそれを上回るサブフレームを備えるサブフレームパターンを示す、少なくとも１つの第２のパラメータを備え、上記１つまたはそれを上回るサブフレームは、上記サブフレームを備える、項目１５に記載の無線デバイス。
（項目２５）
上記少なくとも１つのＲＲＣメッセージは、セルの構成パラメータを備え、上記セルは、認可支援アクセス（ＬＡＡ）セルである、項目１５に記載の無線デバイス。
（項目２６）
上記部分サブフレームは、上記オフセット値から開始する、項目１５に記載の無線デバイス。
（項目２７）
上記サブフレームは、時間の中で２つのスロットを備え、各スロットは、複数のシンボルを備える、項目１５に記載の無線デバイス。
（項目２８）
上記命令は、実行されると、さらに上記無線デバイスに、上記ｅＰＤＣＣＨの中で受信されるダウンリンク許可を採用するＰＤＳＣＨの中で、１つまたはそれを上回るダウンリンクトランスポートブロックを受信させる、項目１５に記載の無線デバイス。
（項目２９）
基地局によって、拡張型物理ダウンリンク制御チャネル（ｅＰＤＣＣＨ）のための開始シンボルを示すフィールドを備える、少なくとも１つの無線リソース制御（ＲＲＣ）メッセージを伝送するステップと、
サブフレームの中でｅＰＤＣＣＨ信号を伝送するステップと
を含み、
上記ｅＰＤＣＣＨは、上記サブフレームが完全サブフレームであるときに上記開始シンボルから開始し、
上記ｅＰＤＣＣＨは、上記サブフレームが部分サブフレームであるときにオフセット値を加えた上記開始シンボルから開始する、方法。
（項目３０）
上記少なくとも１つのＲＲＣメッセージはさらに、上記ｅＰＤＣＣＨのためのリソースブロック（ＲＢ）を示す１つまたはそれを上回るパラメータを備える、構成パラメータを備える、項目２９に記載の方法。
（項目３１）
上記少なくとも１つまたはそれを上回るパラメータは、ＲＢペアの１つまたは２つのセットを示す、項目３０に記載の方法。
（項目３２）
上記開始シンボルを示す上記フィールドは、上記ＲＢペアの１つまたは２つのセットに適用可能である、項目３１に記載の方法。
（項目３３）
上記少なくとも１つまたはそれを上回るパラメータは、
いくつかのＲＢペアを示す、第１のパラメータと、
ＲＢ割当を識別するインデックスを示す、第２のパラメータと
を備える、項目３０に記載の方法。
（項目３４）
上記少なくとも１つのＲＲＣメッセージは、上記サブフレームの中の伝送の１つまたはそれを上回る可能な開始位置を示す、パラメータを備え、上記パラメータは、上記オフセット値を判定するために上記無線デバイスによって採用される、項目２９に記載の方法。（項目３５）
上記オフセット値は、７である、項目２９に記載の方法。
（項目３６）
上記サブフレームの中で信号を伝送する前に、トーク前のリッスン動作を行うステップをさらに含む、項目２９に記載の方法。
（項目３７）
上記サブフレームの中で物理ダウンリンク共有チャネル（ＰＤＳＣＨ）を伝送するステップをさらに含み、
上記開始シンボルはさらに、上記サブフレームの中のＰＤＳＣＨ開始シンボルを判定するために採用され、
上記ＰＤＳＣＨは、上記サブフレームが上記完全サブフレームであるときに上記開始シンボルから開始し、
上記ＰＤＳＣＨは、上記サブフレームが上記部分サブフレームであるときに上記オフセット値を加えた上記開始シンボルから開始する、
項目２９に記載の方法。
（項目３８）
上記少なくとも１つのＲＲＣメッセージはさらに、１つまたはそれを上回るサブフレームを備えるサブフレームパターンを示す、少なくとも１つの第２のパラメータを備え、上記１つまたはそれを上回るサブフレームは、上記サブフレームを備える、項目２９に記載の方法。
（項目３９）
上記少なくとも１つのＲＲＣメッセージは、セルの構成パラメータを備え、上記セルは、認可支援アクセス（ＬＡＡ）セルである、項目２９に記載の方法。
（項目４０）
上記部分サブフレームは、上記オフセット値から開始する、項目２９に記載の方法。
（項目４１）
上記サブフレームは、時間の中で２つのスロットを備え、各スロットは、複数のシンボルを備える、項目２９に記載の方法。
（項目４２）
上記ｅＰＤＣＣＨの中で伝送されるダウンリンク許可に従って、ＰＤＳＣＨの中で１つまたはそれを上回るダウンリンクトランスポートブロックを伝送するステップをさらに含む、項目１に記載の方法。
（項目４３）
１つまたはそれを上回るプロセッサと、
命令を記憶するメモリであって、上記命令は、実行されると、無線デバイスに、
拡張型物理ダウンリンク制御チャネル（ｅＰＤＣＣＨ）のための開始シンボルを示すフィールドを備える、少なくとも１つの無線リソース制御（ＲＲＣ）メッセージを伝送することと、
サブフレームの中でｅＰＤＣＣＨ信号を伝送することと
を行わせる、メモリと
を備え、
上記ｅＰＤＣＣＨは、上記サブフレームが完全サブフレームであるときに上記開始シンボルから開始し、
上記ｅＰＤＣＣＨは、上記サブフレームが部分サブフレームであるときにオフセット値を加えた上記開始シンボルから開始する、基地局。
（項目４４）
上記少なくとも１つのＲＲＣメッセージはさらに、上記ｅＰＤＣＣＨのためのリソースブロック（ＲＢ）を示す１つまたはそれを上回るパラメータを備える、構成パラメータを備える、項目４３に記載の基地局。
（項目４５）
上記少なくとも１つまたはそれを上回るパラメータは、ＲＢペアの１つまたは２つのセットを示す、項目４４に記載の基地局。
（項目４６）
上記開始シンボルを示す上記フィールドは、上記ＲＢペアの１つまたは２つのセットに適用可能である、項目４５に記載の基地局。
（項目４７）
上記少なくとも１つまたはそれを上回るパラメータは、
いくつかのＲＢペアを示す、第１のパラメータと、
ＲＢ割当を識別するインデックスを示す、第２のパラメータと
を備える、項目４４に記載の基地局。
（項目４８）
上記少なくとも１つのＲＲＣメッセージは、上記サブフレームの中の伝送の１つまたはそれを上回る可能な開始位置を示す、パラメータを備え、上記パラメータは、上記オフセット値を判定するために上記無線デバイスによって採用される、項目４３に記載の基地局。
（項目４９）
上記オフセット値は、７である、項目４３に記載の基地局。
（項目５０）
上記命令は、実行されると、さらに上記基地局に、上記サブフレームの中で信号を伝送する前に、トーク前のリッスン動作を行わせる、項目４３に記載の基地局。
（項目５１）
上記命令は、実行されると、さらに上記基地局に、上記サブフレームの中で物理ダウンリンク共有チャネル（ＰＤＳＣＨ）を伝送させ、
上記開始シンボルはさらに、上記サブフレームの中のＰＤＳＣＨ開始シンボルを判定するために採用され、
上記ＰＤＳＣＨは、上記サブフレームが上記完全サブフレームであるときに上記開始シンボルから開始し、
上記ＰＤＳＣＨは、上記サブフレームが上記部分サブフレームであるときに上記オフセット値を加えた上記開始シンボルから開始する、
項目４３に記載の基地局。
（項目５２）
上記少なくとも１つのＲＲＣメッセージはさらに、１つまたはそれを上回るサブフレームを備えるサブフレームパターンを示す、少なくとも１つの第２のパラメータを備え、上記１つまたはそれを上回るサブフレームは、上記サブフレームを備える、項目４３に記載の基地局。
（項目５３）
上記少なくとも１つのＲＲＣメッセージは、セルの構成パラメータを備え、上記セルは、認可支援アクセス（ＬＡＡ）セルである、項目４３に記載の基地局。
（項目５４）
上記部分サブフレームは、上記オフセット値から開始する、項目４３に記載の基地局。（項目５５）
上記サブフレームは、時間の中で２つのスロットを備え、各スロットは、複数のシンボルを備える、項目４３に記載の基地局。
（項目５６）
上記命令は、実行されると、さらに上記基地局に、上記ｅＰＤＣＣＨの中で伝送されるダウンリンク許可に従って、ＰＤＳＣＨの中で１つまたはそれを上回るダウンリンクトランスポートブロックを伝送させる、項目４３に記載の基地局。
【図面の簡単な説明】
【０００３】
本発明の種々の実施形態のうちのいくつかの実施例が、図面を参照して本明細書に説明される。
【０００４】
【図１】図１は、本発明の実施形態のある側面による、ＯＦＤＭ副搬送波の例示的セットを描写する、略図である。
【０００５】
【図２】図２は、本発明の実施形態のある側面による、搬送波グループ内の２つの搬送波に関する例示的伝送時間および受信時間を描写する、略図である。
【０００６】
【図３】図３は、本発明の実施形態のある側面による、ＯＦＤＭ無線リソースを描写する、図である。
【０００７】
【図４】図４は、本発明の実施形態のある側面による、基地局および無線デバイスのブロック図である。
【０００８】
【図５】図５Ａ、図５Ｂ、図５Ｃ、および図５Ｄは、本発明の実施形態のある側面による、アップリンクおよびダウンリンク信号伝送に関する例示的略図である。
【０００９】
【図６】図６は、本発明の実施形態のある側面による、ＣＡおよびＤＣを用いたプロトコル構造に関する例示的略図である。
【００１０】
【図７】図７は、本発明の実施形態のある側面による、ＣＡおよびＤＣを用いたプロトコル構造に関する例示的略図である。
【００１１】
【図８】図８は、本発明の実施形態のある側面による、例示的ＴＡＧ構成を示す。
【００１２】
【図９】図９は、本発明の実施形態のある側面による、二次ＴＡＧ内のランダムアクセスプロセスにおける例示的メッセージフローである。
【００１３】
【図１０】図１０は、本発明の実施形態のある側面による、ダウンリンクバーストを描写する、例示的略図である。
【００１４】
【図１１】図１１は、本発明の実施形態のある側面による、部分サブフレームおよび完全サブフレームを描写する、例示的略図である。
【発明を実施するための形態】
【００１５】
本発明の例示的実施形態は、搬送波アグリゲーションの動作をイネーブルにする。本明細書に開示される技術の実施形態は、マルチ搬送波通信システムの技術分野において採用され得る。より具体的には、本明細書に開示される技術の実施形態は、マルチ搬送波通信システムにおける信号タイミングに関し得る。
【００１６】
以下の略語は、本開示の全体を通して使用される。
ＡＳＩＣ    特定用途向け集積回路
ＢＰＳＫ    二位相偏移変調
ＣＡ    搬送波アグリゲーション
ＣＳＩ    チャネル状態情報
ＣＤＭＡ    符号分割多重アクセス
ＣＳＳ    共通検索空間
ＣＰＬＤ    複合プログラマブル論理デバイス
ＣＣ      コンポーネント搬送波
ＤＬ      ダウンリンク
ＤＣＩ      ダウンリンク制御情報
ＤＣ      デュアルコネクティビティ
ＥＰＣ      進化型パケットコア
Ｅ−ＵＴＲＡＮ    進化型ユニバーサル地上無線アクセスネットワーク
ＦＰＧＡ    フィールドプログラマブルゲートアレイ
ＦＤＤ    周波数分割多重化
ＨＤＬ    ハードウェア記述言語
ＨＡＲＱ    ハイブリッド自動反復要求
ＩＥ    情報要素
ＬＴＥ    ロングタームエボリューション
ＭＣＧ    マスタセルグループ
ＭｅＮＢ    マスタ進化型ノードＢ
ＭＩＢ      マスタ情報ブロック
ＭＡＣ      媒体アクセス制御
ＭＡＣ      媒体アクセス制御
ＭＭＥ    モビリティ管理エンティティ
ＮＡＳ      非アクセス層
ＯＦＤＭ    直交周波数分割多重化
ＰＤＣＰ    パケットデータ収束プロトコル
ＰＤＵ      パケットデータユニット
ＰＨＹ      物理
ＰＤＣＣＨ    物理ダウンリンク制御チャネル
ＰＨＩＣＨ    物理ＨＡＲＱインジケータチャネル
ＰＵＣＣＨ    物理アップリンク制御チャネル
ＰＵＳＣＨ    物理アップリンク共有チャネル
Ｐセル    一次セル
Ｐセル    一次セル
ＰＣＣ    一次コンポーネント搬送波
ＰＳセル    一次二次セル
ｐＴＡＧ    一次タイミングアドバンスグループ
ＱＡＭ    直交振幅変調
ＱＰＳＫ    直交位相偏移変調
ＲＢＧ    リソースブロックグループ
ＲＬＣ    無線リンク制御
ＲＲＣ    無線リソース制御
ＲＡ    ランダムアクセス
ＲＢ      リソースブロック
ＳＣＣ      二次コンポーネント搬送波
Ｓセル    二次セル
Ｓセル    二次セル
ＳＣＧ    二次セルグループ
ＳｅＮＢ    二次進化型ノードＢ
ｓＴＡＧ    二次タイミングアドバンスグループ
ＳＤＵ    サービスデータユニット
Ｓ−ＧＷ    サービングゲートウェイ
ＳＲＢ    信号伝達無線ベアラ
ＳＣ−ＯＦＤＭ    単一搬送波ＯＦＤＭ
ＳＦＮ    システムフレーム数
ＳＩＢ    システム情報ブロック
ＴＡＩ    追跡エリア識別子
ＴＡＴ    時間整合タイマ
ＴＤＤ    時分割複信
ＴＤＭＡ    時分割多重アクセス
ＴＡ    タイミングアドバンス
ＴＡＧ    タイミングアドバンスグループ
ＴＢ    トランスポートブロック
ＵＬ    アップリンク
ＵＥ    ユーザ機器
ＶＨＤＬ      ＶＨＳＩＣハードウェア記述言語
【００１７】
図１は、本発明の実施形態のある側面による、ＯＦＤＭ副搬送波の例示的セットを描写する、略図である。本実施例に図示されるように、略図内の矢印は、マルチ搬送波ＯＦＤＭシステム内の副搬送波を描写し得る。ＯＦＤＭシステムは、ＯＦＤＭ技術、ＤＦＴＳ−ＯＦＤＭ、ＳＣ−ＯＦＤＭ技術、または同等物等の技術を使用してもよい。例えば、矢印１０１は、副搬送波伝送情報シンボルを示す。図１は、例証目的のためのものであって、典型的マルチ搬送波ＯＦＤＭシステムは、搬送波内により多くの副搬送波を含んでもよい。例えば、搬送波内の副搬送波の数は、１０〜１０，０００副搬送波の範囲内であってもよい。図１は、伝送バンド内の２つのガードバンド１０６および１０７を示す。図１に図示されるように、ガードバンド１０６は、副搬送波１０３と副搬送波１０４との間にある。副搬送波Ａ１０２の例示的セットは、副搬送波１０３と、副搬送波１０４とを含む。図１はまた、副搬送波Ｂ１０５の例示的セットも図示する。図示されるように、副搬送波Ｂ１０５の例示的セット内には、任意の２つの副搬送波の間にガードバンドが存在しない。マルチ搬送波ＯＦＤＭ通信システム内の搬送波は、連続的搬送波、非連続的搬送波、または連続的および非連続的搬送波両方の組み合わせであってもよい。
【００１８】
図２は、本発明の実施形態のある側面による、２つの搬送波に関する例示的伝送時間および受信時間を描写する、略図である。マルチ搬送波ＯＦＤＭ通信システムは、例えば、１〜１０搬送波に及ぶ、１つまたはそれを上回る搬送波を含んでもよい。搬送波Ａ２０４および搬送波Ｂ２０５は、同一または異なるタイミング構造を有してもよい。図２は、２つの同期された搬送波を示すが、搬送波Ａ２０４および搬送波Ｂ２０５は、相互に同期される場合もあり、そうではない場合もある。異なる無線フレーム構造が、ＦＤＤおよびＴＤＤ複信機構のためにサポートされてもよい。図２は、例示的ＦＤＤフレームタイミングを示す。ダウンリンクおよびアップリンク伝送は、無線フレーム２０１の中に編成されてもよい。本実施例では、無線フレーム持続時間は、１０ミリ秒である。他のフレーム持続時間、例えば、１〜１００ミリ秒の範囲内もまた、サポートされてもよい。本実施例では、各１０ミリ秒無線フレーム２０１は、１０の等サイズのサブフレーム２０２に分割されてもよい。０．５ミリ秒、１ミリ秒、２ミリ秒、および５ミリ秒を含むような他のサブフレーム持続時間もまた、サポートされてもよい。サブフレームは、２つまたはそれを上回るスロット（例えば、スロット２０６および２０７）から成ってもよい。ＦＤＤの実施例に関して、各１０ミリ秒間隔において、１０のサブフレームが、ダウンリンク伝送のために利用可能であり得、１０のサブフレームが、アップリンク伝送のために利用可能であり得る。アップリンクおよびダウンリンク伝送は、周波数ドメイン内で分離されてもよい。スロットは、複数のＯＦＤＭシンボル２０３を含んでもよい。スロット２０６内のＯＦＤＭシンボル２０３の数は、サイクリックプレフィックス長および副搬送波間隔に依存し得る。
【００１９】
図３は、本発明の実施形態のある側面による、ＯＦＤＭ無線リソースを描写する、略図である。時間３０４および周波数３０５内のリソースグリッド構造が、図３に図示されている。ダウンリンク副搬送波またはＲＢの数量（本実施例では、６〜１００ＲＢ）は、少なくとも部分的に、セル内で構成されたダウンリンク伝送帯域幅３０６に依存し得る。最小無線リソースユニットは、リソース要素（例えば、３０１）と呼ばれ得る。リソース要素は、リソースブロック（例えば、３０２）にグループ化されてもよい。リソースブロックは、リソースブロックグループ（ＲＢＧ）（例えば、３０３）と呼ばれるより大きい無線リソースにグループ化されてもよい。スロット２０６内の伝送された信号は、複数の副搬送波および複数のＯＦＤＭシンボルの１つまたはいくつかのリソースグリッドによって記述され得る。リソースブロックは、リソース要素へのある物理チャネルのマッピングを記述するために使用されてもよい。物理リソース要素の他の事前に定義されたグループ化も、無線技術に応じて、システム内で実装されてもよい。例えば、２４の副搬送波が、５ミリ秒の持続時間にわたって無線ブロックとしてグループ化されてもよい。例証的実施例では、リソースブロックは、時間ドメイン内の１つのスロットおよび周波数ドメイン内の１８０ｋＨｚに対応し得る（１５ＫＨｚ副搬送波帯域幅および１２の副搬送波に関して）。
【００２０】
図５Ａ、図５Ｂ、図５Ｃ、および図５Ｄは、本発明の実施形態のある側面による、アップリンクおよびダウンリンク信号伝送のための例示的略図である。図５Ａは、例示的アップリンク物理チャネルを示す。物理アップリンク共有チャネルを表すベースバンド信号は、以下のプロセスを行い得る。これらの機能は、実施例として図示され、種々の実施形態では、他の機構が実装されてもよいことが予期される。機能は、スクランブリング、複素数値シンボルを生成するためのスクランブリングされたビットの変調、１つまたはいくつかの伝送層上への複素数値変調シンボルのマッピング、複素数値シンボルを生成するための変換プリコーディング、複素数値シンボルのプリコーディング、リソース要素へのプリコーディングされた複素数値シンボルのマッピング、アンテナポート毎の複素数値時間ドメインＤＦＴＳ−ＯＦＤＭ／ＳＣ−ＦＤＭＡ信号の生成、および／または同等物を含んでもよい。
【００２１】
アンテナポート毎の複素数値ＤＦＴＳ−ＯＦＤＭ／ＳＣ−ＦＤＭＡベースバンド信号および／または複素数値ＰＲＡＣＨベースバンド信号の搬送波周波数への例示的変調および上方変換が、図５Ｂに示されている。フィルタリングが、伝送に先立って採用されてもよい。
【００２２】
ダウンリンク伝送のための例示的構造が、図５Ｃに示されている。ダウンリンク物理チャネルを表すベースバンド信号は、以下のプロセスを行い得る。これらの機能は、実施例として図示され、種々の実施形態では、他の機構が実装されてもよいことが予期される。機能は、物理チャネル上で伝送されるべきコードワードのそれぞれ内のコード化されたビットのスクランブリング、複素数値変調シンボルを生成するためのスクランブリングされたビットの変調、１つまたはいくつかの伝送層上への複素数値変調シンボルのマッピング、アンテナポート上での伝送のための各層上での複素数値変調シンボルのプリコーディング、リソース要素へのアンテナポート毎の複素数値変調シンボルのマッピング、アンテナポート毎の複素数値時間ドメインＯＦＤＭ信号の生成、および／または同等物を含む。
【００２３】
アンテナポート毎の複素数値ＯＦＤＭベースバンド信号の搬送波周波数への例示的変調および上方変換が、図５Ｄに示されている。フィルタリングが、伝送に先立って採用されてもよい。
【００２４】
図４は、本発明の実施形態のある側面による、基地局４０１および無線デバイス４０６の例示的ブロック図である。通信ネットワーク４００は、少なくとも１つの基地局４０１と、少なくとも１つの無線デバイス４０６とを含んでもよい。基地局４０１は、少なくとも１つの通信インターフェース４０２と、少なくとも１つのプロセッサ４０３と、非一過性メモリ４０４内に記憶され、少なくとも１つのプロセッサ４０３によって実行可能である、プログラムコード命令４０５の少なくとも１つのセットとを含んでもよい。無線デバイス４０６は、少なくとも１つの通信インターフェース４０７と、少なくとも１つのプロセッサ４０８と、非一過性メモリ４０９内に記憶され、少なくとも１つのプロセッサ４０８によって実行可能である、プログラムコード命令４１０の少なくとも１つのセットとを含んでもよい。基地局４０１内の通信インターフェース４０２は、少なくとも１つの無線リンク４１１を含む、通信経路を介して、無線デバイス４０６内の通信インターフェース４０７との通信に従事するように構成されてもよい。無線リンク４１１は、双方向リンクであってもよい。無線デバイス４０６内の通信インターフェース４０７はまた、基地局４０１内の通信インターフェース４０２との通信に従事するように構成されてもよい。基地局４０１および無線デバイス４０６は、複数の周波数搬送波を使用して、無線リンク４１１を経由してデータを送受信するように構成されてもよい。実施形態の種々の側面のうちのいくつかによると、送受信機が、採用されてもよい。送受信機は、送信機および受信機を両方とも含むデバイスである。送受信機は、無線デバイス、基地局、中継ノード、および／または同等物等のデバイス内で採用されてもよい。通信インターフェース４０２、４０７および無線リンク４１１内で実装される無線技術のための例示的実施形態は、図１、図２、図３、図５、および関連付けられたテキストに説明されている。
【００２５】
インターフェースは、ハードウェアインターフェース、ファームウェアインターフェース、ソフトウェアインターフェース、および／またはそれらの組み合わせであってもよい。ハードウェアインターフェースは、コネクタ、ワイヤ、ドライバ等の電子デバイス、増幅器、および／または同等物を含んでもよい。ソフトウェアインターフェースは、プロトコル、プロトコル層、通信ドライバ、デバイスドライバ、それらの組み合わせ、および／または同等物を実装するようにメモリデバイス内に記憶される、コードを含んでもよい。ファームウェアインターフェースは、埋設されるハードウェアと、接続、電子デバイス動作、プロトコル、プロトコル層、通信ドライバ、デバイスドライバ、ハードウェア動作、それらの組み合わせ、および／または同等物を実装するようにメモリデバイス内に記憶され、および／またはそれと通信する、コードとの組み合わせを含んでもよい。
【００２６】
用語「構成される」は、デバイスが動作状態にあるかまたは非動作状態にあるかにかかわらず、デバイスの能力に関し得る。「構成される」はまた、デバイスが動作状態にあるかまたは非動作状態にあるかにかかわらず、デバイスの動作特性をもたらす、デバイス内の具体的設定を指し得る。換言すると、ハードウェア、ソフトウェア、ファームウェア、レジスタ、メモリ値、および／または同等物は、デバイスが動作状態にあるかまたは非動作状態にあるかにかかわらず、デバイスに具体的特性を提供するようにデバイス内で「構成」され得る。「デバイス内で生じさせるための制御メッセージ」等の用語は、制御メッセージが、デバイスが動作状態にあるかまたは非動作状態にあるかにかかわらず、デバイス内の具体的特性を構成するために使用され得る、パラメータを有することを意味し得る。
【００２７】
実施形態の種々の側面のうちのいくつかによると、ユーザプレーンＰＤＣＰ／ＲＬＣ／ＭＡＣ／ＰＨＹおよび制御プレーン（ＲＲＣ）プロトコル終端を無線デバイスに向かって提供する、ＬＴＥネットワークは、多数の基地局を含んでもよい。基地局は、（例えば、Ｘ２インターフェースを採用して）他の基地局と相互接続されてもよい。基地局はまた、例えば、ＥＰＣへのＳ１インターフェースを採用して接続されてもよい。例えば、基地局は、Ｓ１−ＭＭＥインターフェースを採用してＭＭＥに、Ｓ１−Ｕインターフェースを採用してＳ−Ｇに相互接続されてもよい。Ｓ１インターフェースは、ＭＭＥ／サービングゲートウェイと基地局との間の多対多関係をサポートしてもよい。基地局は、多くのセクタ、例えば、１、２、３、４、または６つのセクタを含んでもよい。基地局は、多くのセル、例えば、１〜５０またはそれを上回るセルを含んでもよい。セルは、例えば、一次セルまたは二次セルとしてカテゴリ化されてもよい。ＲＲＣ接続確立／再確立／ハンドオーバでは、１つのサービングセルが、ＮＡＳ（非アクセス層）モビリティ情報（例えば、ＴＡＩ）を提供してもよく、ＲＲＣ接続再確立／ハンドオーバでは、１つのサービングセルが、セキュリティ入力を提供してもよい。本セルは、一次セル（Ｐセル）と称され得る。ダウンリンクでは、Ｐセルに対応する搬送波は、ダウンリンク一次コンポーネント搬送波（ＤＬ  ＰＣＣ）であり得る一方で、アップリンクでは、アップリンク一次コンポーネント搬送波（ＵＬ  ＰＣＣ）であり得る。無線デバイス能力に応じて、二次セル（Ｓセル）が、Ｐセルとともにサービングセルのセットを形成するように構成されてもよい。ダウンリンクでは、Ｓセルに対応する搬送波は、ダウンリンク二次コンポーネント搬送波（ＤＬ  ＳＣＣ）であり得る一方で、アップリンクでは、アップリンク二次コンポーネント搬送波（ＵＬ  ＳＣＣ）であり得る。Ｓセルは、アップリンク搬送波を有する場合もあり、有していない場合もある。
【００２８】
ダウンリンク搬送波と、随意に、アップリンク搬送波とを含む、セルは、物理セルＩＤおよびセルインデックスを割り当てられてもよい。搬送波（ダウンリンクまたはアップリンク）は、１つのみのセルに属してもよい。セルＩＤまたはセルインデックスはまた、（それが使用される状況に応じて）セルのダウンリンク搬送波またはアップリンク搬送波を識別してもよい。本明細書では、セルＩＤは、同等に搬送波ＩＤと称され得、セルインデックスは、搬送波インデックスと称され得る。実装では、物理セルＩＤまたはセルインデックスは、セルに割り当てられてもよい。セルＩＤは、ダウンリンク搬送波上で伝送される同期信号を使用して、判定されてもよい。セルインデックスは、ＲＲＣメッセージを使用して、判定されてもよい。例えば、本明細書が、第１のダウンリンク搬送波に関する第１の物理セルＩＤを指すとき、本明細書は、第１の物理セルＩＤが第１のダウンリンク搬送波を含むセルに関するものであることを意味し得る。同一概念は、例えば、搬送波アクティブ化にも適用され得る。本明細書が、第１の搬送波がアクティブ化されることを示すとき、本明細書は、第１の搬送波を含むセルがアクティブ化されることを同等に意味し得る。
【００２９】
実施形態は、必要に応じて動作するように構成されてもよい。開示される機構は、ある基準が、例えば、無線デバイス、基地局、無線環境、ネットワーク、上記の組み合わせ、および／または同等物内で満たされるときに行われてもよい。例示的基準は、少なくとも部分的に、例えば、トラフィック負荷、初期システム設定、パケットサイズ、トラフィック特性、上記の組み合わせ、および／または同等物に基づいてもよい。１つまたはそれを上回る基準が満たされるとき、種々の例示的実施形態が適用されてもよい。したがって、開示されるプロトコルを選択的に実装する例示的実施形態を実装することが可能であり得る。
【００３０】
基地局は、無線デバイスの混合と通信してもよい。無線デバイスは、複数の技術および／または同一技術の複数のリリースをサポートしてもよい。無線デバイスは、その無線デバイスカテゴリおよび／または能力に応じて、いくつかの具体的能力を有してもよい。基地局は、複数のセクタを備えてもよい。本開示が、複数の無線デバイスと通信する基地局を指すとき、本開示は、カバレッジエリア内の総無線デバイスのサブセットを指し得る。本開示は、例えば、所与の能力を伴い、基地局の所与のセクタ内にある、所与のＬＴＥリリースの複数の無線デバイスを指し得る。本開示における複数の無線デバイスは、選択された複数の無線デバイス、および／または開示される方法に従って機能する、カバレッジエリア内の総無線デバイスのサブセット、および／または同等物を指し得る。カバレッジエリア内には、例えば、それらの無線デバイスがＬＴＥ技術のより古いリリースに基づいて機能するため、開示される方法に準拠し得ない、複数の無線デバイスが存在し得る。
【００３１】
図６および図７は、本発明の実施形態のある側面による、ＣＡおよびＤＣを用いたプロトコル構造のための例示的略図である。Ｅ−ＵＴＲＡＮは、デュアルコネクティビティ（ＤＣ）動作をサポートしてもよく、それによって、ＲＲＣ＿ＣＯＮＮＥＣＴＥＤ内の複数のＲＸ／ＴＸ  ＵＥは、Ｘ２インターフェースを経由して非理想的バックホールを介して接続される２つのｅＮＢ内に位置する２つのスケジューラによって提供される、無線リソースを利用するように構成されてもよい。あるＵＥのためのＤＣに関与するｅＮＢは、２つの異なる役割を成してもよい。すなわち、ｅＮＢは、ＭｅＮＢまたはＳｅＮＢのいずれかとして作用し得る。ＤＣでは、ＵＥは、１つのＭｅＮＢおよび１つのＳｅＮＢに接続されてもよい。ＤＣにおいて実装される機構は、２つを上回るｅＮＢを網羅するように拡張されてもよい。図７は、マスタセルグループ（ＭＣＧ）および二次セルグループ（ＳＣＧ）が構成されるときのＵＥ側ＭＡＣエンティティのための一例示的構造を図示し、これは、実装を制限し得ない。媒体ブロードキャストマルチキャストサービス（ＭＢＭＳ）受信は、便宜上、本図には示されていない。
【００３２】
ＤＣでは、特定のベアラが使用する、無線プロトコルアーキテクチャは、ベアラが設定される方法に依存し得る。３つの代替物、すなわち、図６に示されるようなＭＣＧベアラ、ＳＣＧベアラ、および分割ベアラが、存在し得る。ＲＲＣは、ＭｅＮＢ内に位置してもよく、ＳＲＢは、ＭＣＧベアラタイプとして構成されてもよく、ＭｅＮＢの無線リソースを使用してもよい。ＤＣはまた、ＳｅＮＢによって提供される無線リソースを使用するように構成される、少なくとも１つのベアラを有するものとして説明され得る。ＤＣは、本発明の例示的実施形態において構成／実装される場合もあり、されない場合もある。
【００３３】
ＤＣの場合、ＵＥは、２つのＭＡＣエンティティ、すなわち、ＭｅＮＢのための１つのＭＡＣエンティティおよびＳｅＮＢのための１つのＭＡＣエンティティを用いて構成されてもよい。ＤＣでは、ＵＥのためのサービングセルの構成されたセットは、２つのサブセット、すなわち、ＭｅＮＢのサービングセルを含有するマスタセルグループ（ＭＣＧ）と、ＳｅＮＢのサービングセルを含有する二次セルグループ（ＳＣＧ）とを備えてもよい。ＳＣＧに関して、以下のうちの１つまたはそれを上回るものが当てはまり得る。すなわち、ＳＣＧ内の少なくとも１つのセルは、構成されたＵＬ  ＣＣを有し、ＰＳセルと称される（またはＳＣＧのＰセルまたはＰセルとも呼ばれる）、それらのうちの１つは、ＰＵＣＣＨリソースを用いて構成される。ＳＣＧが構成されるとき、少なくとも１つのＳＣＧベアラまたは１つの分割ベアラが、存在し得る。ＰＳセル上の物理層問題またはランダムアクセス問題の検出に応じて、またはＳＣＧと関連付けられたＲＬＣ再伝送の最大数に達すると、またはＳＣＧ追加またはＳＣＧ変更の間のＰＳセル上のアクセス問題の検出に応じて、ＲＲＣ接続再確立プロシージャは、トリガされない場合があり、ＳＣＧのセルに向かうＵＬ伝送は、停止され、ＭｅＮＢは、ＵＥによってＳＣＧ障害タイプを知らされ得、分割ベアラに関しては、ＭｅＮＢを経由したＤＬデータ転送が維持される。ＲＬＣ  ＡＭベアラは、分割ベアラのために構成されてもよい。Ｐセルのように、ＰＳセルは、非アクティブ化されない場合がある。ＰＳセルは、ＳＣＧ変更に伴って（例えば、セキュリティキー変更およびＲＡＣＨプロシージャに伴って）変更され得る。および／または分割ベアラとＳＣＧベアラとの間の直接ベアラタイプ変更も、ＳＣＧおよび分割ベアラの同時構成も、サポートされない。
【００３４】
ＭｅＮＢとＳｅＮＢとの間の相互作用に関して、以下の原理のうちの１つまたはそれを上回るものが、当てはまり得る。すなわち、ＭｅＮＢは、ＵＥのＲＲＭ測定構成を維持してもよく、（例えば、受信された測定報告またはトラフィック条件またはベアラタイプに基づいて）ＵＥのための付加的リソース（サービングセル）を提供するようにＳｅＮＢに求めることを決定してもよい。ＭｅＮＢからの要求の受信に応じて、ＳｅＮＢは、ＵＥのための付加的サービングセルの構成をもたらし得る、コンテナを作成してもよい（またはそうするために利用可能なリソースを有していないことを決定する）。ＵＥ能力協調に関して、ＭｅＮＢは、ＡＳ構成およびＵＥ能力（の一部）をＳｅＮＢに提供してもよい。ＭｅＮＢおよびＳｅＮＢは、Ｘ２メッセージ内で搬送されるＲＲＣコンテナ（ノード間メッセージ）を採用することによって、ＵＥ構成についての情報を交換してもよい。ＳｅＮＢは、その既存のサービングセル（例えば、ＳｅＮＢに向かうＰＵＣＣＨ）の再構成を開始してもよい。ＳｅＮＢは、いずれのセルがＳＣＧ内のＰＳセルであるかを決定してもよい。ＭｅＮＢは、ＳｅＮＢによって提供されるＲＲＣ構成のコンテンツを変更しなくてもよい。ＳＣＧ追加およびＳＣＧ  Ｓセル追加の場合、ＭｅＮＢは、ＳＣＧセルのための最新測定結果を提供してもよい。ＭｅＮＢおよびＳｅＮＢは両方とも、ＳＦＮおよびＯＡＭによる相互のサブフレームオフセットを把握してもよい（例えば、測定ギャップのＤＲＸ整合および識別の目的のために）。実施例では、新しいＳＣＧ  Ｓセルを追加するとき、専用ＲＲＣ信号伝達が、ＳＣＧのＰＳセルのＭＩＢから取得されたＳＦＮを除き、ＣＡに関するセルの要求されるシステム情報を送信するために使用されてもよい。
【００３５】
実施例では、サービングセルは、ＴＡグループ（ＴＡＧ）内でグループ化されてもよい。１つのＴＡＧ内のサービングセルは、同一タイミング基準を使用してもよい。所与のＴＡＧに関して、ユーザ機器（ＵＥ）は、タイミング基準として、少なくとも１つのダウンリンク搬送波を使用してもよい。所与のＴＡＧに関して、ＵＥは、同一ＴＡＧに属するアップリンク搬送波のアップリンクサブフレームおよびフレーム伝送タイミングを同期させてもよい。実施例では、同一ＴＡが適用されるアップリンクを有する、サービングセルは、同一受信機によってホストされるサービングセルに対応し得る。複数のＴＡをサポートするＵＥは、２つまたはそれを上回るＴＡグループをサポートしてもよい。１つのＴＡグループは、Ｐセルを含有してもよく、一次ＴＡＧ（ｐＴＡＧ）と呼ばれ得る。複数のＴＡＧ構成では、少なくとも１つのＴＡグループは、Ｐセルを含有しなくてもよく、二次ＴＡＧ（ｓＴＡＧ）と呼ばれ得る。実施例では、同一ＴＡグループ内の搬送波は、同一ＴＡ値および／または同一タイミング基準を使用してもよい。ＤＣが構成されるとき、セルグループ（ＭＣＧまたはＳＣＧ）に属するセルは、ｐＴＡＧおよび１つまたはそれを上回るｓＴＡＧを含む、複数のＴＡＧにグループ化されてもよい。
【００３６】
図８は、本発明の実施形態のある側面による、例示的ＴＡＧ構成を示す。実施例１では、ｐＴＡＧは、Ｐセルを含み、ｓＴＡＧは、Ｓセル１を含む。実施例２では、ｐＴＡＧは、ＰセルおよびＳセル１を含み、ｓＴＡＧは、Ｓセル２およびＳセル３を含む。実施例３では、ｐＴＡＧは、ＰセルおよびＳセル１を含み、ｓＴＡＧ１は、Ｓセル２およびＳセル３を含み、ｓＴＡＧ２は、Ｓセル４を含む。最大４つのＴＡＧが、セルグループ（ＭＣＧまたはＳＣＧ）内でサポートされてもよく、他の例示的ＴＡＧ構成もまた、提供されてもよい。本開示における種々の実施例では、例示的機構は、ｐＴＡＧおよびｓＴＡＧに関して説明される。例示的機構のうちのいくつかが、複数のｓＴＡＧを伴う構成に適用されてもよい。
【００３７】
実施例では、ｅＮＢは、アクティブ化されたＳセルのためのＰＤＣＣＨ順序を介してＲＡプロシージャを開始してもよい。本ＰＤＣＣＨ順序は、本Ｓセルのスケジューリングセル上で送信されてもよい。クロス搬送波スケジューリングがセルのために構成されるとき、スケジューリングセルは、プリアンブル伝送のために採用されるセルと異なり得、ＰＤＣＣＨ順序は、Ｓセルインデックスを含んでもよい。少なくとも非競合ベースのＲＡプロシージャが、ｓＴＡＧに割り当てられるＳセルのためにサポートされてもよい。
【００３８】
図９は、本発明の実施形態のある側面による、二次ＴＡＧ内のランダムアクセスプロセスにおける例示的メッセージフローである。ｅＮＢは、アクティブ化コマンド６００を伝送し、Ｓセルをアクティブ化する。プリアンブル６０２（Ｍｓｇ１）が、ｓＴＡＧに属するＳセル上のＰＤＣＣＨ順序６０１に応答して、ＵＥによって送信されてもよい。例示的実施形態では、Ｓセルに関するプリアンブル伝送は、ＰＤＣＣＨフォーマット１Ａを使用して、ネットワークによって制御されてもよい。Ｓセル上のプリアンブル伝送に応答したＭｓｇ２メッセージ６０３（ＲＡＲ：ランダムアクセス応答）は、Ｐセル共通検索空間（ＣＳＳ）内のＲＡ−ＲＮＴＩにアドレス指定されてもよい。アップリンクパケット６０４は、プリアンブルが伝送されたＳセル上で伝送されてもよい。
【００３９】
実施形態の種々の側面のうちのいくつかによると、初期タイミング整合は、ランダムアクセスプロシージャを通して達成されてもよい。これは、ＵＥがランダムアクセスプリアンブルを伝送し、ｅＮＢがランダムアクセス応答ウィンドウ内で初期ＴＡコマンドＮＴＡ（タイミングアドバンスの量）に応答することを伴い得る。ランダムアクセスプリアンブルの開始は、ＮＴＡ＝０を仮定するＵＥでは、対応するアップリンクサブフレームの開始と整合され得る。ｅＮＢは、ＵＥによって伝送されるランダムアクセスプリアンブルからアップリンクタイミングを推定してもよい。ＴＡコマンドは、所望のＵＬタイミングと実際のＵＬタイミングとの間の差異の推定に基づいて、ｅＮＢによって導出されてもよい。ＵＥは、プリアンブルが伝送されるｓＴＡＧの対応するダウンリンクに対して初期アップリンク伝送タイミングを判定してもよい。
【００４０】
ＴＡＧへのサービングセルのマッピングは、サービングｅＮＢによって、ＲＲＣ信号伝達を用いて構成されてもよい。ＴＡＧ構成および再構成のための機構は、ＲＲＣ信号伝達に基づいてもよい。実施形態の種々の側面のうちのいくつかによると、ｅＮＢがＳセル追加構成を行うとき、関連ＴＡＧ構成が、Ｓセルのために構成されてもよい。例示的実施形態では、ｅＮＢは、Ｓセルを除去（解放）し、更新されたＴＡＧ  ＩＤを伴う新しいＳセルを（同一物理セルＩＤおよび周波数を伴って）追加（構成）することによって、ＳセルのＴＡＧ構成を修正してもよい。更新されたＴＡＧ  ＩＤを伴う新しいＳセルは、最初に、更新されたＴＡＧ  ＩＤが割り当てられた後に非アクティブであり得る。ｅＮＢは、更新された新しいＳセルをアクティブ化し、アクティブ化されたＳセル上でスケジューリングパケットを始動させてもよい。例示的実装では、Ｓセルと関連付けられたＴＡＧを変更することは可能ではない場合があるが、むしろ、Ｓセルは、除去される必要があり得、新しいＳセルが、別のＴＡＧを伴って追加される必要があり得る。例えば、ＳセルをｓＴＡＧからｐＴＡＧに移動させる必要がある場合、少なくとも１つのＲＲＣメッセージ、例えば、少なくとも１つのＲＲＣ再構成メッセージが、Ｓセルを解放し、次いで、ＳセルをｐＴＡＧの一部として構成することによって、ＴＡＧ構成を再構成するように、ＵＥに送信されてもよい（Ｓセルが、ＴＡＧインデックスを伴わずに追加／構成されるとき、Ｓセルは、ｐＴＡＧに明示的に割り当てられてもよい）。Ｐセルは、そのＴＡグループを変更しなくてもよく、ｐＴＡＧのメンバであってもよい。
【００４１】
ＲＲＣ接続再構成プロシージャの目的は、ＲＲＣ接続を修正する（例えば、ＲＢを確立、修正、および／または解放する、ハンドオーバを行う、測定を設定、修正、および／または解放する、Ｓセルを追加、修正、および／または解放する）ことであり得る。受信されたＲＲＣ接続再構成メッセージがｓＣｅｌｌＴｏＲｅｌｅａｓｅＬｉｓｔを含む場合、ＵＥは、Ｓセル解放を行ってもよい。受信されたＲＲＣ接続再構成メッセージがｓＣｅｌｌＴｏＡｄｄＭｏｄＬｉｓｔを含む場合、ＵＥは、Ｓセル追加または修正を行ってもよい。
【００４２】
ＬＴＥリリース−１０およびリリース−１１ＣＡでは、ＰＵＣＣＨは、Ｐセル（ＰＳセル）上でｅＮＢに伝送されるのみである。ＬＴＥ−リリース１２およびそれ以前では、ＵＥは、ＰＵＣＣＨ情報を１つのセル（ＰセルまたはＰＳセル）上で所与のｅＮＢに伝送してもよい。
【００４３】
ＣＡ対応ＵＥの数、また、アグリゲーションされた搬送波の数が増加するにつれて、ＰＵＣＣＨの数、また、ＰＵＣＣＨペイロードサイズも、増加し得る。Ｐセル上のＰＵＣＣＨ伝送に適応することは、Ｐセル上の高ＰＵＣＣＨ負荷につながり得る。Ｓセル上のＰＵＣＣＨは、ＰＵＣＣＨリソースをＰセルからオフロードするために導入されてもよい。１つを上回るＰＵＣＣＨ、例えば、Ｐセル上のＰＵＣＣＨおよびＳセル上の別のＰＵＣＣＨが、構成されてもよい。例示的実施形態では、１つ、２つ、またはそれを上回るセルが、ＣＳＩ／ＡＣＫ／ＮＡＣＫを基地局に伝送するために、ＰＵＣＣＨリソースを用いて構成されてもよい。セルは、複数のＰＵＣＣＨグループにグループ化されてもよく、グループ内の１つまたはそれを上回るセルが、ＰＵＣＣＨを用いて構成されてもよい。例示的構成では、１つのＳセルが、１つのＰＵＣＣＨグループに属してもよい。構成されたＰＵＣＣＨが基地局に伝送される、Ｓセルは、ＰＵＣＣＨ  Ｓセルと呼ばれ得、共通ＰＵＣＣＨリソースが同一基地局に伝送される、セルグループは、ＰＵＣＣＨグループと呼ばれ得る。
【００４４】
例示的実施形態では、ＭＡＣエンティティは、ＴＡＧにつき構成可能なタイマｔｉｍｅＡｌｉｇｈｎｍｅｎｔＴｉｍｅｒを有してもよい。ｔｉｍｅＡｌｉｇｈｎｍｅｎｔＴｉｍｅｒは、ＭＡＣエンティティがアップリンク時間整合されるべき関連付けられたＴＡＧに属するサービングセルを考慮する時間の長さを制御するために使用されてもよい。ＭＡＣエンティティは、タイミングアドバンスコマンドＭＡＣ制御要素が受信されるときに、示されるＴＡＧのためのタイミングアドバンスコマンドを適用し、示されるＴＡＧと関連付けられたｔｉｍｅＡｌｉｇｈｎｍｅｎｔＴｉｍｅｒを始動または再始動させてもよい。ＭＡＣエンティティは、タイミングアドバンスコマンドが、ＴＡＧに属するサービングセルのためのランダムアクセス応答メッセージ内で受信されるとき、および／またはランダムアクセスプリアンブルが、ＭＡＣエンティティによって選択されなかった場合、本ＴＡＧのためのタイミングアドバンスコマンドを適用し、本ＴＡＧと関連付けられたｔｉｍｅＡｌｉｇｈｎｍｅｎｔＴｉｍｅｒを始動または再始動させてもよい。そうでなければ、本ＴＡＧと関連付けられたｔｉｍｅＡｌｉｇｈｎｍｅｎｔＴｉｍｅｒが起動していない場合、本ＴＡＧのためのタイミングアドバンスコマンドが適用されてもよく、本ＴＡＧと関連付けられたｔｉｍｅＡｌｉｇｈｎｍｅｎｔＴｉｍｅｒが始動されてもよい。競合解決が成功ではないと見なされるとき、本ＴＡＧと関連付けられたｔｉｍｅＡｌｉｇｈｎｍｅｎｔＴｉｍｅｒは、停止されてもよい。そうでなければ、ＭＡＣエンティティは、受信されたタイミングアドバンスコマンドを無視してもよい。
【００４５】
例示的実施形態では、タイマは、いったん始動されると、停止されるまで、または満了するまで起動している。そうでなければ、これは、起動していない場合がある。タイマは、起動していない場合に始動される、または起動している場合に再始動されることができる。例えば、タイマは、その初期値から始動または再始動されてもよい。
【００４６】
本発明の例示的実施形態は、マルチ搬送波通信の動作をイネーブルにしてもよい。他の例示的実施形態は、マルチ搬送波通信の動作を生じさせるように１つまたはそれを上回るプロセッサによって実行可能な命令を備える、非一過性の有形コンピュータ可読媒体を備えてもよい。さらに他の例示的実施形態は、プログラマブルハードウェアがデバイス（例えば、無線通信機、ＵＥ、基地局等）にマルチ搬送波通信の動作をイネーブルにさせることを可能にするためのその上にエンコードされた命令を有する、非一過性の有形コンピュータ可読機械アクセス可能媒体を備える、製造品を備えてもよい。デバイスは、プロセッサ、メモリ、インターフェース、および／または同等物を含んでもよい。他の例示的実施形態は、基地局、無線デバイス（またはユーザ機器：ＵＥ）、サーバ、スイッチ、アンテナ、および／または同等物等のデバイスを備える、通信ネットワークを備えてもよい。
【００４７】
セルラーネットワークを経由して搬送されるデータトラフィックの量は、この先何年も増加することが予期される。ユーザ／デバイスの数は、増加しており、各ユーザ／デバイスは、ますます多くの種々のサービス、例えば、ビデオ配信、大型ファイル、画像にアクセスする。これは、ネットワーク内の高容量を要求するだけではなく、双方向性および応答性への顧客の期待を満たすように、非常に高いデータレートもプロビジョニングする。より多くのスペクトルが、したがって、セルラーオペレータが増加する需要を満たすために必要とされる。シームレスなモビリティとともに高データレートのユーザ期待を考慮すると、より多くのスペクトルが、セルラーシステムのためのマクロセルおよび小型セルを展開するために利用可能にされることが有益である。
【００４８】
市場の需要を満たそうと努めて、トラフィック増大を満たすために無認可スペクトルを使用して、ある補完的アクセスを展開することにオペレータからの関心が増大してきた。これは、多数のオペレータ展開型Ｗｉ−ＦｉネットワークおよびＬＴＥ／ＷＬＡＮインターワーキングソリューションの３ＧＰＰ標準化によって例示される。本関心は、無認可スペクトルが、存在するとき、セルラーオペレータがホットスポットエリア等のいくつかのシナリオでトラフィック激増に対処することに役立つための認可スペクトルの効果的な補完であり得ることを示す。ＬＡＡは、１つの無線ネットワークを管理し、したがって、ネットワークの効率を最適化するための新しい可能性を提供しながら、オペレータが無認可スペクトルを利用するための代替物を提供する。
【００４９】
例示的実施形態では、トーク前リッスン（クリアチャネル査定）が、ＬＡＡセル内の伝送のために実装されてもよい。トーク前リッスン（ＬＢＴ）プロシージャでは、機器は、チャネルを使用する前に、クリアチャネル査定（ＣＣＡ）チェックを適用してもよい。例えば、ＣＣＡは、チャネルが、それぞれ、占有されているかまたはクリアであるかを判定するために、チャネル上の信号の存在または非存在を判定するように、少なくともエネルギー検出を利用する。例えば、欧州および日本の規制は、無認可帯域内のＬＢＴの使用を義務付ける。規制要件は別として、ＬＢＴを介した搬送波感知は、無認可スペクトルの公平な共有のための１つの方法であってもよい。
【００５０】
例示的実施形態では、限定された最大伝送持続時間を伴う無認可搬送波上の不連続伝送が、イネーブルにされてもよい。これらの機能のうちのいくつかは、不連続ＬＡＡダウンリンク伝送の開始から伝送される１つまたはそれを上回る信号によってサポートされてもよい。チャネル確保は、ある閾値を上回るエネルギーを伴う伝送された信号を受信する他のノードが、占有されるチャネルを感知するように、成功したＬＢＴ動作を介してチャネルアクセスを獲得した後に、ＬＡＡノードによる信号の伝送によって、イネーブルにされてもよい。不連続ダウンリンク伝送を伴うＬＡＡ動作のための１つまたはそれを上回る信号によってサポートされる必要があり得る機能は、以下のうちの１つまたはそれを上回るもの、すなわち、ＵＥによる（セル識別を含む）ＬＡＡダウンリンク伝送の検出、ＵＥの時間および周波数同期化を含んでもよい。
【００５１】
例示的実施形態では、ＤＬ  ＬＡＡ設計は、ＣＡによってアグリゲーションされるサービングセルを横断するＬＴＥ−Ａ搬送波アグリゲーションタイミング関係に従って、サブフレーム境界整合を採用してもよい。これは、ｅＮＢ伝送がサブフレーム境界のみから開始し得ることを含意しない場合がある。ＬＡＡは、ＬＢＴに従って、全てのＯＦＤＭシンボルがサブフレーム内の伝送のために利用可能であるわけではないときに、ＰＤＳＣＨを伝送することをサポートしてもよい。ＰＤＳＣＨのための必要な制御情報の配信もまた、サポートされてもよい。
【００５２】
ＬＢＴプロシージャは、無認可スペクトルで動作する他のオペレータおよび技術とのＬＡＡの公平かつ友好的な共存のために採用されてもよい。無認可スペクトル内の搬送波上で伝送しようとするノード上のＬＢＴプロシージャは、クリアチャネル査定を行って、チャネルが使用のために空いているかどうかを判定するようにノードに要求する。ＬＢＴプロシージャは、チャネルが使用されているかどうかを判定するように、少なくともエネルギー検出を伴ってもよい。例えば、いくつかの地域内、例えば、欧州内の規制要件は、ノードがエネルギー検出閾値を上回るエネルギーを受容する場合に、チャネルが空いていないことをノードが仮定するように、本閾値を規定する。ノードは、そのような規制要件に従ってもよいが、ノードは、随意に、規制要件によって規定されるものよりも低いエネルギー検出の閾値を使用してもよい。実施例では、ＬＡＡは、エネルギー検出閾値を適応的に変化させる機構を採用してもよく、例えば、ＬＡＡは、上限からエネルギー検出閾値を適応的に下げる機構を採用してもよい。適応機構は、閾値の静的または半静的設定を不可能にしなくてもよい。実施例では、カテゴリ４ＬＢＴ機構または他のタイプのＬＢＴ機構が、実装されてもよい。
【００５３】
種々の例示的ＬＢＴ機構が、実装されてもよい。実施例では、いくつかの信号に関して、いくつかの実装シナリオでは、いくつかの状況では、および／またはいくつかの周波数では、ＬＢＴプロシージャが伝送エンティティによって行われなくてもよい。実施例では、カテゴリ２（例えば、ランダムバックオフがないＬＢＴ）が、実装されてもよい。伝送エンティティが伝送する前にチャネルがアイドルであると感知される持続時間は、決定論的であり得る。実施例では、カテゴリ３（例えば、固定サイズのコンテンションウィンドウを伴うランダムバックオフを用いたＬＢＴ）が、実装されてもよい。ＬＢＴプロシージャは、そのコンポーネントのうちの１つとして、以下のプロシージャを有してもよい。伝送エンティティは、コンテンションウィンドウ内で乱数Ｎを選び出してもよい。コンテンションウィンドウのサイズは、Ｎの最小値および最大値によって規定されてもよい。コンテンションウィンドウのサイズは、固定されてもよい、または構成可能であり得る。乱数Ｎは、伝送エンティティがチャネル上で伝送する前にチャネルがアイドルであると感知される持続時間を判定するために、ＬＢＴプロシージャで採用されてもよい。実施例では、カテゴリ４（例えば、可変サイズのコンテンションウィンドウを伴うランダムバックオフを用いたＬＢＴ）が、実装されてもよい。伝送エンティティは、コンテンションウィンドウ内で乱数Ｎを選び出してもよい。コンテンションウィンドウのサイズは、Ｎの最小および最大値によって規定されてもよい。伝送エンティティは、乱数Ｎを選び出すときに、コンテンションウィンドウのサイズを変動させてもよい。乱数Ｎは、伝送エンティティがチャネル上で伝送する前にチャネルがアイドルであると感知される持続時間を判定するために、ＬＢＴプロシージャで使用される。実施例では、ｅＮＢは、１つまたはそれを上回るＲＲＣメッセージおよび／または１つまたはそれを上回るＰＤＣＣＨ  ＤＣＩの中で１つまたはそれを上回るＬＢＴ構成パラメータを伝送してもよい。実施例では、ＬＢＴパラメータのうちのいくつかは、ＲＲＣメッセージを介して構成されてもよく、いくつかの他のＬＢＴパラメータは、ＰＤＣＣＨ  ＤＣＩ（例えば、ＵＬ許可を含むＤＣＩ）を介してＵＥに信号伝達されてもよい。
【００５４】
ＬＡＡは、ＵＥにおいてアップリンクＬＢＴを採用してもよい。ＵＬ  ＬＢＴ方式は、例えば、ＬＡＡ  ＵＬが、ＵＥのチャネルコンテンション機会に影響を及ぼすスケジュールされたアクセスに基づくため、（例えば、異なるＬＢＴ機構またはパラメータを使用することによって）ＤＬ  ＬＢＴ方式と異なり得る。異なるＵＬ  ＬＢＴ方式の動機付けをする他の考慮事項は、単一のサブフレーム内の複数のＵＥの多重化を含むが、それに限定されない。
【００５５】
実施例では、ＤＬ伝送バーストは、同一ＣＣ上の同一ノードから直前または直後に伝送がない、ＤＬ伝送ノードからの連続伝送であってもよい。ＵＥの観点からのＵＬ伝送バーストは、同一ＣＣ上の同一ノードから直前または直後に伝送がない、ＵＥからの連続伝送であってもよい。実施例では、ＵＬ伝送バーストは、ＵＥの観点から定義される。実施例では、ＵＬ伝送バーストは、ｅＮＢの観点から定義されてもよい。実施例では、同一無認可搬送波を経由してＤＬ＋ＵＬ  ＬＡＡを動作させるｅＮＢの場合、ＬＡＡ上のＤＬ伝送バーストおよびＵＬ伝送バーストは、同一無認可搬送波を経由してＴＤＭ様式でスケジュールされてもよい。例えば、時間の瞬間が、ＤＬ伝送バーストまたはＵＬ伝送バーストの一部であってもよい。
【００５６】
以下の信号または以下の信号の組み合わせは、ＬＡＡ  Ｓセル内のＤＬ伝送バーストの受信のためのＵＥの時間／周波数同期化のための機能性、すなわち、ａ）ＲＲＭ測定のためのサービングセルのＤＲＳ（ＲＲＭ測定のためのＤＲＳは、少なくとも粗い時間／周波数同期化に使用されてもよい）、ｂ）ＤＬ伝送バースト内に組み込まれる基準信号（例えば、ＣＲＳおよび／またはＤＭＲＳ）、および／またはｃ）一次／二次同期化信号を提供してもよい。付加的基準信号がある場合、本信号が使用されてもよい。基準信号は、少なくとも細かい時間／周波数同期化に使用されてもよい。他の候補（例えば、初期信号、ＤＲＳ）が、同期化に採用されてもよい。
【００５７】
ＲＲＭのためのＤＲＳはまた、ＤＲＳ伝送と多重化される潜在的ブロードキャストデータの復調のための機能性をサポートしてもよい。時間／周波数同期化のための他の機構または信号（例えば、初期信号、ＤＲＳ）が、ＤＬ伝送バーストの受信をサポートするために必要とされ得る。
【００５８】
例示的実施形態では、ＤＲＳは、少なくとも粗い時間／周波数同期化に使用されてもよい。ＤＬ伝送バースト内の基準信号（例えば、ＣＲＳおよび／またはＤＭＲＳ）は、少なくとも細かい時間／周波数同期化に使用されてもよい。いったんＵＥがＤＲＳを検出し、それに基づいて粗い時間／周波数同期化を達成すると、ＵＥは、他のＤＬ  ＴＸバーストに組み込まれた基準信号を使用して、同期化上で追跡し続けてもよく、また、ＤＲＳを使用してもよい。実施例では、ＵＥは、ＵＥを標的にするＤＬ伝送バースト内に組み込まれたＤＲＳおよび／または基準信号を利用してもよい。別の実施例では、ＵＥは、サービングセルから（ＵＥおよび他のＵＥへ）の多くの利用可能なＤＬ伝送バースト内に組み込まれたＤＲＳおよび／または基準信号を利用してもよい。
【００５９】
セル発見／ＲＲＭ測定（例えば、構成されたＤＭＴＣ内の日和見伝送）に使用される発見信号は、ＬＡＡセルとの少なくとも粗い同期化（例えば、＜±３マイクロ秒タイミング同期化誤差および＜±０．１ｐｐｍ周波数同期化誤差）を維持するために使用されてもよい。ＤＲＳは、ＬＢＴを受けてもよい。ＤＲＳ間の待ち時間は、概して、Ｗｉ−Ｆｉトラフィック負荷が増加するにつれて悪化する。ＤＲＳ間の待ち時間は、かなり有意であり得ることに留意されたい。例示的シナリオでは、ＤＲＳ間の待ち時間が４０ミリ秒である５５％確率があってもよく、ＤＲＳ間の待ち時間が≧４４０ミリ秒である５％確率がある。ＵＥによって見られるようなＤＲＳ間の待ち時間は、ＵＥによる誤検出の確率を考慮すると、より悪くあり得る。発見信号誤検出は、実際の誤検出に起因し得る、またはＤＭＴＣ動作中のＤＲＸ周波数間測定のため、ＵＥが検出に利用不可能であることに起因し得る。
【００６０】
ＬＡＡ  ＤＲＳ設計に応じて、ＯＦＤＭシンボル境界は、ＤＲＳによって取得されてもよい。ＰセルおよびＳセルタイミング差は、±３０マイクロ秒のオーダーに保たれてもよい。アグリゲーションされたセルは、ある程度同期されてもよく、例えば、整合されたフレームタイミングおよびＳＦＮであってもよい。したがって、類似要件が、無認可帯域上のＰセルおよびＬＡＡセルに適用されてもよい。実施例では、ＵＥは、タイミングオフセットが最大約３０マイクロ秒（例えば、位置特定されない）であり得、周波数基準がＰセルとＬＡＡセル（２ＧＨｚＰセルと５ＧＨｚＬＡＡセル）との間の帯域距離に起因して信頼性がない場合があるため、ＬＡＡセルの粗い同期化にＰセルのタイミングおよび周波数を利用しない場合がある。Ｐセルタイミング情報もまた、サブフレームまたはフレームレベルで時間同期化に使用されてもよい。Ｓセルは、Ｐセルと同一のフレーム数およびサブフレーム数を採用してもよい。
【００６１】
Ｐセルタイミング情報は、シンボル同期化のためのある情報を提供してもよい。Ｐセルを同期させることによって、ＰセルとＬＡＡ  Ｓセルとの間でＵＥによって観察される周波数差は、最大０．６ｐｐｍであってもよい。例えば、３００ミリ秒後に、時間ドリフトの量は、最大でも０．１８マイクロ秒であってもよい。ＬＡＡに関して、パス遅延は、標的カバレッジが小さいため、比較的小さくあり得る。タイミングドリフトがあると、マルチパス遅延は、サイクリックプレフィックス長以内であってもよい。
【００６２】
実施形態の種々の側面のうちのいくつかによると、ＵＥは、例えば、同一グループ内にある（例えば、共同設置される）ときに、認可搬送波および無認可搬送波のＣＡのための時間／周波数同期化の参照として、認可帯域搬送波を利用してもよい。非共同設置ｅＮＢが、ＣＡシナリオで、別個に認可帯域Ｐセルおよび無認可帯域Ｓセルをサポートするとき、Ｐセルと無認可帯域Ｓセルとの間に最大約３０マイクロ秒のタイミング差が存在してもよい。例示的実施形態では、Ｐセルと同期されたＵＥと無認可帯域Ｓセルとの間の周波数差は、最大でも０．６ｐｐｍを観察してもよい。ＬＡＡは、少なくとも非共同設置ＣＡシナリオに関して、無認可帯域上の時間／周波数同期化のための機能性を提供してもよい。
【００６３】
周波数差の例示的理由は、１）Ｐセル、Ｓセル、およびＵＥの間の発振器差、２）ドップラ偏移、および３）高速フェージング側面であってもよい。５ＧＨｚにおける０．６ｐｐｍオフセットの発振器差は、３ｋＨｚオフセットに対応する。ＬＴＥ数理の副搬送波間隔は、１５ｋＨｚである。本オフセットは、ＦＦＴ動作の前に考慮される必要があり得る。発振器周波数変動の理由のうちの１つは、温度である。周波数差がＤＲＳ受信の時点で取得されない場合、ＵＥがＦＦＴの前に本周波数差を取得するまで、ＵＥは、後続のデータ伝送をバッファリングする必要があり得る。これによって引き起こされる周波数オフセットは、ＤＲＳの受信時に取得されてもよい。ドップラ偏移は、低モビリティＵＥの小さい値であってもよい。１）および２）によって引き起こされる高速フェージングおよび残留不整合は、認可帯域に類似する復調プロセス中に補償されてもよい。これは、無認可帯域のために付加的基準信号を導入することを要求しなくてもよい。
【００６４】
実施形態の種々の側面のうちのいくつかによると、ＵＥは、まだ構成されていないＳセルのための測定ギャップを使用して、搬送波周波数層上で周波数間測定を行うように構成されてもよい。Ｓセル受信機は、オンにされなくてもよく、測定は、Ｐセル受信機を使用して行われてもよい。セルがＳセルとして追加されるが、アクティブ化されない（例えば、「非アクティブ化状態」）とき、ＵＥは、ＰセルからＳセルのための関連システム情報を受信してもよい。ＵＥは、測定ギャップを伴わずにＳセル上で測定を行うように構成されてもよい。Ｓセル受信機は、場合によっては、ＣＲＳまたは発見信号のいずれかを使用して、ＲＲＭ測定のために（例えば、１６０ミリ秒毎に５ミリ秒間）オンにされる必要があり得る。セルは、Ｓセルとして追加され、アクティブ化されてもよく（「アクティブ化状態」）、次いで、ＵＥは、全てのサブフレーム内のＳセル上でＰＤＳＣＨを受信する準備ができていてもよい。Ｓセル受信機は、（自己スケジューリングの場合に）全サブフレーム内で（Ｅ）ＰＤＣＣＨ監視を行ってもよい。Ｓセル受信機は、（自己および交差搬送波スケジューリングの場合に）潜在的ＰＤＳＣＨ処理のために全サブフレームをバッファリングしてもよい。
【００６５】
ｅＮｏｄｅＢは、搬送波周波数のセット上でＲＲＭ測定（例えば、ＲＳＳＩを含む）を測定して報告するようにＵＥを構成してもよい。いったん好適な搬送波または好適な搬送波のセットが判定されると、選択される搬送波は、（例えば、約１５ミリ秒の構成遅延を伴って）ＲＲＣによってＳセルとして追加されてもよく、その後に、（例えば、約２４ミリ秒の遅延を伴って）Ｓセルアクティブ化が続く。Ｓセルが非アクティブ化される場合、ＵＥは、発見信号が構成されたときに伝送され得ることを除いて、信号がＬＡＡセルによって伝送されないことを仮定してもよい。Ｓセルがアクティブ化される場合、ＵＥは、ＰＤＣＣＨ／ＥＰＤＣＣＨを監視し、アクティブ化されたＳセルのためのＣＳＩ測定／報告を行うように要求される。Ｕセルでは、ＵＥは、アクティブ化されたＬＡＡ  Ｓセルの全サブフレームが伝送を含有することを仮定しない場合がある。ＬＡＡ搬送波に関して、チャネルアクセスは、ＬＢＴプロシージャ成果に依存し得る。ネットワークは、ＵＥのための多くの搬送波を構成してアクティブ化してもよい。スケジューラは、次いで、ＤＬ割当またはＵＬ許可伝送のための搬送波を動的に選択してもよい。
【００６６】
実施形態の種々の側面のうちのいくつかによると、セルレベル搬送波選択の第１の段階は、ｅＮＢによるセルの初期設定中であってもよい。ｅＮＢは、干渉またはレーダ検出のためのチャネルを走査して感知してもよい。ｅＮＢは、効率的な負荷バランシングおよび干渉管理のためのその搬送波選択アルゴリズムの成果に基づいて、それに応じてＳセルを構成してもよい。搬送波選択プロセスは、無認可スペクトル内の搬送波上の伝送に先立って、ＬＢＴ／ＣＣＡプロシージャと異なる時系列上にあってもよい。ＵＥからのＲＳＳＩ測定レポートが、ｅＮＢにおける選択を支援するために使用されてもよい。
【００６７】
実施形態の種々の側面のうちのいくつかによると、セルレベル搬送波選択の第２の段階は、初期設定後である。動機付けは、ｅＮＢが、いくつかの搬送波上の静的負荷および干渉変化に起因して搬送波（再）選択を行う必要があり得る、例えば、新しいＷｉ−Ｆｉ  ＡＰが設定され、搬送波に連続的にアクセスし、比較的静的な干渉を引き起こすことである。したがって、半静的搬送波選択は、平均化干渉レベルのｅＮＢ感知、要求される場合、レーダ信号の潜在的存在、および比較的より長い時系列にわたる搬送波上のトライフィック負荷、およびセル内のＵＥからのＲＲＭ測定に基づいてもよい。無認可スペクトル内の特性に起因して、ＬＡＡ  Ｓセル上のＲＲＭ測定は、より良好な搬送波選択をサポートするように強化されてもよい。例えば、ＲＳＳＩ測定は、ＲＳＳＩがある閾値を上回るときに、時間の割合を示す占有測定基準を使用して強化されてもよい。プロセスが、セル内のＵＥのための信号伝達オーバーヘッドおよび通信インタラプトに起因して、かなり高価であり得、また、隣接セルに影響し得るため、セルレベル搬送波選択は、長期（再）選択であってもよいことが、留意され得る。いったん搬送波の好適なセットが識別されると、それらは、ＵＥのためのＳセルとして構成されてアクティブ化されてもよい。本プロセスは、干渉環境を再査定し続けるために連続的であり得る。無認可スペクトル内のセルレベル搬送波選択は、ＵＥからのｅＮＢ感知およびＲＲＭ測定レポートに基づく、比較的長期の（再）選択であってもよい。ＬＡＡ  Ｓセル上のＲＲＭ測定は、より良好な搬送波選択をサポートするように強化されてもよい。
【００６８】
ＵＥの観点からの搬送波選択は、ｅＮＢがセルレベルで選択した搬送波のセットの間でＵＥのための搬送波選択をサポートすることであってもよい。無認可スペクトル内のＵＥのための搬送波選択は、ＵＥが同時受信および伝送をサポートする、搬送波のセットを構成することによって、達成されてもよい。ＵＥは、構成された搬送波上でＲＲＭ測定を行い、それらをｅＮＢに報告してもよい。ｅＮＢは、次いで、ＵＥのための保留中データを有するときに、搬送波のうちのいずれをアクティブ化して伝送に使用するかを選定してもよい。アクティブ化する搬送波の数は、次いで、必要とされるデータレートおよび異なる搬送波のＲＲＭ測定に基づいて、選定されてもよい。その上でデータをスケジュールする前の搬送波のアクティブ化遅延は、ＤＲＸサイクル内でアクティブ化コマンドを受信することに先立って、ＵＥが本搬送波上でＲＲＭ測定を行ったことを仮定して、最大２４ミリ秒であってもよい。アクティブ化および非アクティブ化に基づいて搬送波選択を動作させることによって、選択はまた、約数１０ミリ秒で行われてもよい。
【００６９】
実施形態の種々の側面のうちのいくつかによると、ＣＲＳは、バーストがアクティブ化されたサブフレーム内でスケジュールされていないときに、そのサブフレームの中で伝送されない場合がある。延長した持続時間（Ｔｏｆｆ）にわたってｅＮＢから伝送がない場合、ＵＥ復調性能は、細かい時間／周波数追跡のための基準シンボルの欠如に起因して、影響を受け得る。性能影響の程度は、ｅＮＢ伝送がない時間量に依存する。影響は、発見信号のより頻繁な伝送によって軽減されてもよい。
【００７０】
発見信号は、ＵＥがスケジュールされていないときでさえも、ｅＮＢによって伝送されてもよい。ＵＥ  ＲＲＭ測定要件に基づいて発見信号周期性（例えば、１６０ミリ秒）を設定することは、ＵＥの細かい時間／周波数追跡要件に基づいて周期性を設定することよりも効率的であり得る。
【００７１】
例示的実施形態では、無認可ＳセルのためのＳセル非アクティブ化タイマは、ＵＥの細かい時間／周波数追跡要件に基づいて、（Ｔｏｆｆ）により近い値に設定されてもよい。これは、アクティブ化コマンドのより頻繁な伝送をもたらしてもよい。アクティブ化コマンドは、ｅＮＢがＵＥへスケジュールするデータを有するときに必要とされ得る。ＵＥの観点から、特定のサブフレーム内でアクティブ化コマンドを受信した後、ＵＥは、いくつかの（例えば、１つまたは２つの）以下のサブフレームの中でＣＲＳを受信してもよい。ＵＥは、Ｓセル上のＰＤＳＣＨ受信の前に、それらがＡＧＣループおよび時間周波数追跡フィルタを定着させるために使用し得る、いくつかのシンボルまたはサブフレームのためのＣＲＳ伝送を受信してもよい。ＵＥは、アクティブ化コマンドの受信とＳセル上の受信ＰＤＳＣＨとの間で（例えば、いくつかのＯＦＤＭシンボルの中で）ＣＲＳ伝送を受信してもよい。
【００７２】
動的基準で多数の搬送波をアクティブ化することは、ＵＥ電力消費量、誤警報確率、および処理能力要件を増加させ得る。改良された機構が、ＵＥにおける効率を向上させ、ＵＥにおける高速かつ動的な搬送波選択／アクティブ化をイネーブルにするために必要とされる。新規の機構は、ＵＥ電力消費量を低減させ、誤警報確率を低減させ、処理能力要件を低減させ得る。搬送波選択およびアクティブ化は、高速動的搬送波選択（または切替）を達成するように強化されてもよい。（例えば、現在定義されている２４ミリ秒よりも短い）搬送波のための高速アクティブ化プロシージャが、効率を向上させるように定義されてもよい。
【００７３】
現在のＳセルアクティブ化待ち時間は、ＭＡＣ  ＣＥ復号待ち時間（約３〜６ミリ秒）およびＳセルアクティブ化準備時間（ＲＦ準備、最大約１８ミリ秒）を含んでもよい。より高速のプロセスおよびハードウェアの実装は、これらの遅延を低減させ得る。ＳセルＭＡＣアクティブ化／非アクティブ化信号伝達は、ＵＥ特有である。信号伝達オーバーヘッドは、特に信号を伝送するために使用されるセルがマクロセルである場合に、懸念事項であり得る。例示的実施形態では、Ｌ１プロシージャ／インジケータが、導入されてもよく、および／またはＳセルアクティブ化信号伝達が、強化されてもよい。
【００７４】
第１層信号伝達（例えば、Ｐセルまたは別のサービングセルからのＰＤＣＣＨ／ＥＰＤＣＣＨ）は、ＵＥがＰＤＣＣＨ／ＥＰＤＣＣＨを監視し、および／またはＣＳＩを測定／報告し得る、搬送波のセットを信号伝達するように実装されてもよい。制御信号伝達待ち時間は、約２ミリ秒（例えば、０．５ミリ秒復号を加えた、１回の１ミリ秒ＥＰＤＣＣＨ伝送）であってもよい。ＤＣＩフォーマットは、伝送信頼性およびオーバーヘッド低減のために小さいサイズであってもよい。制御信号伝達オーバーヘッドを低減させるために、信号伝達は、ＵＥ共通信号伝達であってもよい。インジケーションは、ＵＥが現在監視している搬送波上で送信されてもよい。
【００７５】
例示的実施形態では、最大ｋ個のアクティブ化された搬送波の監視を開始する／止めるためのＬ１インジケーションに基づく機構が、提供されてもよい。ＵＥは、ｎ＞＝ｋ個のＣＣを用いて構成されてもよい。ｋ個のＣＣは、Ｓセルアクティブ化／非アクティブ化のＭＡＣ信号伝達を介して、アクティブ化されてもよい。次いで、ＣＣを経由したＬＢＴ進行に基づいて、Ｌ１インジケーションが、ｋ個のＣＣのうちのいずれがＵＥによって監視され得、いずれが監視され得ないかを知らせるために送信される。ＵＥは、次いで、監視されたＣＣ上でデータバーストを受信してもよい。別のＬ１インジケーションが、それ以降にいずれのＣＣが監視され得るか等を改変するように、バースト後に送信されてもよい。Ｌ１インジケーションは、（例えば、信号伝達に基づいて）明示的または（例えば、自己スケジューリングおよびＳセル上のスケジューリング情報のＵＥ検出に基づいて）暗示的であり得る。本実施例に関して、高速搬送波切替が、最大でもｋ個のＣＣの間で行われる。
【００７６】
例示的実施形態では、最大ｍ個のアクティブ化された搬送波の監視を開始する／止めるためのＬ１信号伝達に基づく機構がある（ｐ個の構成された搬送波の数は、ｍまたはそれより高くあり得る）。アクティブ化された搬送波は、ｎを上回り得る（例えば、ＵＥのためにアクティブ化される、そのＰＤＳＣＨアグリゲーション能力−ｎよりも多くのＣＣが存在してもよい）。ＵＥは、ｐ個のＣＣを用いて構成され、Ｓセルアクティブ化／非アクティブ化のＭＡＣ信号伝達を介してアクティブ化される、最大ｍ個のＣＣがあってもよい。ＵＥは、全てのアクティブ化されたＣＣを監視しない場合がある。ＵＥは、Ｌ１インジケーションに従って、最大でもｎ個のＣＣを監視してもよい。Ｌ１インジケーションは、暗示的インジケーションが、ＵＥが、ＵＥの能力を超えて、最大ｍ個のアクティブ化された搬送波を同時に全て監視することを要求し得るため、暗示的ではなくて明示的である必要がある。本実施例に関して、高速搬送波切替が、おそらくｎ個を上回るＣＣの間で行われる。
【００７７】
実施形態の種々の側面のうちのいくつかによると、Ｓセルアクティブ化／非アクティブ化強化が、高速搬送波切替のために考慮され得る。Ｓセルアクティブ化／非アクティブ化信号伝達は、ＭＡＣ信号伝達である。（強化を伴う、または伴わない）ＭＡＣ信号伝達復号／検出は、Ｌ１信号伝達復号／検出よりも遅くあり得る。これは、Ｌ１信号伝達、さらに、ＰＤＳＣＨの復号／検出を伴ってもよい。Ｓセルアクティブ化／非アクティブ化がＬ１信号伝達によって搬送される場合、これは依然として高速搬送波切替のために考慮され得る。例示的実施形態では、ｐ個の構成された搬送波のアクティブ化／非アクティブ化のためのＬ１信号伝達に基づく、機構がある。ＵＥは、ｐ個のＣＣを用いて構成されるが、最大でもｎ個のＣＣが存在する度に、Ｓセルアクティブ化／非アクティブ化のＬ１信号伝達を介してアクティブ化される。例えば、ＣＣを経由したＬＢＴ進行に基づいて、Ｌ１信号伝達が、ｐ個のＣＣのうちのいずれがアクティブ化されるかを知らせるために送信される。ＵＥは、アクティブ化されたＣＣ上でデータバーストを受信してもよい。別のＬ１信号伝達が、アクティブ化されたＣＣを改変するようにバースト後に送信されてもよい。本実施例に関して、高速搬送波切替が、おそらくｎ個を上回るＣＣの間で行われる。
【００７８】
制御信号伝達は、ｅＮＢがＬＢＴプロセスを介して搬送波へのアクセスを獲得する前に伝送されてもよい。ｅＮＢは、（ＵＥがバーストを受信し得るか、または搬送波のためのＰＤＣＣＨスケジューリング情報の存在に依存しないかにかかわらず）搬送波を監視し始める（または止める）ようにＵＥに知らせてもよい。監視を止めるためのインジケーションが送信されるまで、監視を開始するためのインジケーションが、１つを上回るバーストに使用されてもよい。インジケーションは、（Ｅ）ＣＣＡがもうすぐ完了することをｅＮＢが期待するときに送信されてもよい。インジケーションの目的は、搬送波を監視することを開始する、または止めるようにＵＥに知らせることであってもよい。
【００７９】
ｅＮＢが搬送波へのアクセスを獲得した後に制御信号伝達を伝送することは、（制御信号伝達待ち時間に比例して）確保信号のオーバーヘッドを招き得る。実施例では、最大伝送バーストは、４ミリ秒であってもよい。ｅＮＢは、搬送波上でバーストを受信するようにＵＥに知らせてもよい。ｅＮＢは、バーストのための１つのインジケーションを送信してもよい。多くの短いバーストが存在してもよい（例えば、１つのバーストが、ある領域中で最大４ミリ秒持続してもよい）。インジケーションは、バーストのための最大許容伝送持続時間のある部分を消費して、（Ｅ）ＣＣＡが完了した後に送信されてもよい。
【００８０】
依然として、チャネルが占有される前または後に制御信号伝達を伝送することは、ネットワーク次第であってもよい。ＵＥは、（例えば、ＰＣＩＤを確認することによって）バーストがサービングセルからであることを検出してもよい。制御信号伝達の機能は、ＵＥがサービングセルのＤＬ伝送バースト検出を行い得ることを示すことである。サービングセルのＤＬバーストが検出される場合、ＵＥは、可能なＰＤＣＣＨ／ＥＰＤＣＣＨを監視し、および／または示されたＳセル上でＣＳＩを測定してもよい。
【００８１】
例示的実施形態では、ＵＥは、ＵＥがＰＤＳＣＨをアグリゲーションし得る搬送波の最大数を潜在的に超える、いくつかの搬送波を用いて構成されてもよい。構成された搬送波にわたるＲＲＭ測定、例えば、ＲＳＳＩ様測定、共同設置帯域内搬送波を横断する準共同設置概念の拡張、および／または搬送波グループ化が、サポートされてもよい。ｅＮＢによって構成された搬送波から選択される、搬送波を監視し始めるためのＵＥへのＬ１インジケーションが、サポートされてもよい。
【００８２】
実施形態の種々の側面のうちのいくつかによると、ｅＮＢは、ＵＥがＰＤＳＣＨをアグリゲーションし得る搬送波の最大数を潜在的に超え得る、より多くのコンポーネント搬送波を用いてＵＥを構成してもよい。次いで、ｅＮＢは、既存の信号伝達、例えば、ＭＡＣ信号伝達によって、ＵＥへの構成された搬送波の間で１つまたはそれを上回る搬送波をアクティブ化してもよい。ＵＥは、ＬＢＴ機構に基づいて動的に、１つまたはそれを上回るアクティブ化された搬送波上でスケジュールされてもよい。
【００８３】
ＵＥが、サブフレーム／シンボルレベルと同じくらい速くサービングｅＮＢによって選択される搬送波のセット内の任意の搬送波上で受信することに切り替わってもよい一方で、セット内の搬送波の数は、ＵＥがＰＤＳＣＨをアグリゲーションし得る、搬送波の最大数を潜在的に超えてもよい。いずれの搬送波にＵＥが切り替わり得るかは、ｅＮＢインジケーションの通りである。ＵＥが、それが切り替わり得る搬送波で示されるとき、ＵＥは、例えば、いくつかのサブフレーム内の示された搬送波を監視し始めてもよく、他の搬送波を監視することを止めてもよい。搬送波を監視することは、制御チャネルおよび他の関連付けられるチャネルをバッファリングし、検出しようとすることを意味する。ｅＮＢインジケーションは、示された搬送波に切り替わり、搬送波を監視するようにＵＥに命令してもよい。ｅＮＢは、所与のサブフレームの中でそのＰＤＳＣＨアグリゲーション能力よりも多くの搬送波上で監視することに切り替わるようにＵＥに命令しない場合がある。ｅＮＢは、そのＰＤＳＣＨアグリゲーション能力よりも多くの搬送波上でＵＥをスケジュールしない場合がある。Ｓセル構成強化は、短縮した遷移時間で準静的および高速の両方の搬送波切替を可能にし得る。Ｓセル構成信号伝達と関連付けられる遅延および測定プロセスと関連付けられる遅延は、減少され得る。
【００８４】
例示的実施形態では、高速搬送波切替は、いくつかのサブフレーム／シンボルと同じくらい速くサービングｅＮＢによって選択される搬送波のセット内の任意の搬送波に切り替わるように、ＵＥをサポートしてもよい。ｅＮＢは、示された搬送波に切り替わり、搬送波を監視するようにＵＥに命令する、インジケーションを送信してもよい。次いで、ＵＥは、切替を行い、示された搬送波を監視し始めてもよい。ＵＥは、他の搬送波を監視することを止めてもよい。ｅＮＢインジケーションは、Ｌ１で行われてもよい。Ｌ１プロシージャ／インジケータまたはＳセルアクティブ化信号伝達の強化が、導入されてもよい。
【００８５】
実施形態の種々の側面のうちのいくつかによると、ＤＲＳ設計は、ＬＢＴを受けるＬＡＡ  Ｓセル上でＤＲＳ伝送を可能にし得る。ＬＢＴがＤＲＳに適用される場合のＤＭＴＣウィンドウ内のＤＲＳの伝送は、多くの要因を考慮し得る。ＬＢＴを受けると、ＤＲＳは、構成されたＤＭＴＣ内の固定時間位置で伝送されてもよい。ＬＢＴを受けると、ＤＲＳは、構成されたＤＭＴＣ内の異なる時間位置のうちの少なくとも１つで伝送されてもよい。異なる時間位置の数は、制限され得る。１つの可能性は、サブフレームの中の１つの時間位置である。構成されたＤＭＴＣの外側のＤＲＳ伝送が、サポートされてもよい。
【００８６】
実施形態の種々の側面のうちのいくつかによると、感知間隔は、ＤＭＴＣ内のＰＤＳＣＨを伴わずにＤＲＳを含有する、（ＤＲＳから開始しない場合がある）ＤＬ伝送バーストの開始を可能にし得る。全感知周期は、１つの感知間隔を上回り得る。上記であるかどうかは、伝送バーストがＰＤＳＣＨを含有しない場合があるが、ＤＲＳおよび任意の他の基準信号またはチャネルを含有する場合に使用されてもよい。ＰＤＳＣＨのためのＬＢＴカテゴリ４に使用されるＥＣＣＡカウンタは、ＰＤＳＣＨを伴わずにＤＲＳを含有するＤＬ伝送バースト中にフリーズされてもよい。
【００８７】
ＬＡＡのためのＤＲＳ設計のＲＳ帯域幅および密度／パターンは、単一のＤＲＳ契機に基づいて、ＲＲＭ測定をサポートしてもよい。
【００８８】
実施形態の種々の側面のうちのいくつかによると、発見信号が、成功したＬＢＴ動作を介して伝送されてもよい。ｅＮＢがチャネルへのアクセスを有していないとき、発見信号バーストは、伝送されない場合がある。実施例では、発見信号周期性は、４０ミリ秒であるように構成され、高い確率で１６０〜２００ミリ秒毎に少なくとも１回、発見信号を受信することが可能であり得る。例えば、１６０ミリ秒毎に少なくとも１回、発見信号を受信する確率は、９７％を上回り得る。ＵＥは、チャネルへのアクセスの欠如に起因する発見信号の潜在的非存在を考慮するように、その受信機処理を調節してもよい。例えば、ＵＥは、ＰＳＳ、ＳＳＳ、およびＣＲＳ信号を使用して、特定の発見信号バーストの存在または非存在を検出してもよい。
【００８９】
実施形態の種々の側面のうちのいくつかによると、発見信号の使用は、ＬＢＴを受けてもよい。発見信号バーストは、ＬＢＴが失敗したときに伝送されない場合がある。データは、介入サブフレームの中で伝送されてもよい。基準信号は、制御情報とともに、発見信号またはデータ伝送に先立ってチャネルを確保するために使用されてもよい。
【００９０】
サービングセル上のデータの受信に関して、ＡＧＣおよび細かい時間および周波数推定は、サービングセルからの発見信号を採用してもよい。実施例では、時間および周波数推定は、発見信号サブフレームの内側のＰＳＳ、ＳＳＳおよび／またはＣＲＳを使用して、行われてもよい。２つまたはそれを上回るＣＲＳポートの使用は、同期化性能を強化してもよい。これらの信号は、サービングおよび隣接セル上のＲＲＭ測定の目的のために十分である、同期化推定値を提供してもよい。データがサブフレームの中でＵＥによって受信されるものであるとき、それは、サービングセル上の発見信号の最後の受信後の有意数のサブフレームに生じる。時間および周波数推定値の微調整は、ＤＭ−ＲＳ、および存在する場合、データが受信されるサブフレーム内のＣＲＳ、および／または初期信号を使用して、行われてもよい。データ伝送の実際の開始前にチャネルを確保するために使用される信号（例えば、確保信号、初期信号、および／またはバーストインジケータ）は、データの受信前に時間および周波数推定値を微調整するために使用されてもよい。任意の発見信号または他の伝送の長い非存在後にデータを伝送するとき、ｅＮＢは、タイミングおよび周波数調節のためのそのような信号の使用を促進するためにチャネルを確保するように、より長い持続時間の信号を伝送してもよい。
【００９１】
例示的実施形態では、無認可セルの中で、ダウンリンクバーストが、サブフレームの中で開始されてもよい。ｅＮＢがチャネルにアクセスするとき、１つまたはそれを上回るサブフレームの持続時間にわたって伝送してもよい。持続時間は、ｅＮＢ内の最大構成バースト持続時間、伝送に利用可能なデータ、および／またはｅＮＢスケジューリングアルゴリズムに依存し得る。図１０は、無認可（例えば、認可支援アクセス）セル内の例示的ダウンリンクバーストを示す。例示的実施形態における最大構成バースト持続時間は、ｅＮＢ内で構成されてもよい。ｅＮＢは、ＲＲＣ構成メッセージを採用して、最大構成バースト持続時間をＵＥに伝送してもよい。
【００９２】
無線デバイスは、基地局から、複数のセルの構成パラメータを備える少なくとも１つのメッセージ（例えば、ＲＲＣ）を受信してもよい。複数のセルは、少なくとも１つの認可セルと、少なくとも１つの無認可セル（例えば、ＬＡＡセル）とを備えてもよい。セルの構成パラメータは、例えば、物理的チャネル、例えば、ｅＰＤＣＣＨ、ＰＤＳＣＨ、ＰＵＳＣＨ、ＰＵＣＣＨ、および／または同等物の構成パラメータを備えてもよい。例示的実施形態では、ｅｐｄｃｃｈ−ＣｏｎｆｉｇというＩＥは、セルのためのＥＰＤＣＣＨ−Ｃｏｎｆｉｇｕｒａｔｉｏｎを示してもよい。
【００９３】
ＲＲＣメッセージの中の情報要素（ＩＥ）ＥＰＤＣＣＨ−Ｃｏｎｆｉｇは、ｅＰＤＣＣＨの構成パラメータを備えてもよく、セルのためのｅＰＤＣＣＨを構成してもよい。ＥＰＤＣＣＨ−ＣｏｎｆｉｇというＩＥは、Ｅ−ＵＴＲＡＮがサービングセルのために構成し得る、ＥＰＤＣＣＨ監視のためのサブフレームおよびリソースブロックを規定してもよい。実施例では、ｅＰＤＣＣＨ−Ｃｏｎｆｉｇは、ｓｕｂｆｒａｍｅＰａｔｔｅｒｎＣｏｎｆｉｇ、ｓｔａｒｔＳｙｍｂｏｌ、ｓｅｔＣｏｎｆｉｇＴｏＲｅｌｅａｓｅＬｉｓｔ、およびｓｅｔＣｏｎｆｉｇＴｏＡｄｄＭｏｄＬｉｓｔ、および他のｅＰＤＣＣＨパラメータを備えてもよい。実施例では、ＥＰＤＣＣＨ−ＳｅｔＣｏｎｆｉｇＴｏＡｄｄＭｏｄＬｉｓｔは、ＳＥＱＵＥＮＣＥ（ＳＩＺＥ（１．．ｍａｘＥＰＤＣＣＨ−Ｓｅｔ−ｒ１１））ＯＦ  ＥＰＤＣＣＨ−ＳｅｔＣｏｎｆｉｇを備えてもよい。実施例では、ＥＰＤＣＣＨ−ＳｅｔＣｏｎｆｉｇＴｏＲｅｌｅａｓｅＬｉｓｔは、ＳＥＱＵＥＮＣＥ（ＳＩＺＥ（１．．ｍａｘＥＰＤＣＣＨ−Ｓｅｔ−ｒ１１））ＯＦ  ＥＰＤＣＣＨ−ＳｅｔＣｏｎｆｉｇＩｄを備えてもよい。実施例では、ＥＰＤＣＣＨ−ＳｅｔＣｏｎｆｉｇは、ｓｅｔＣｏｎｆｉｇＩｄ（ｅＰＤＣＣＨセットのための識別子）、ｔｒａｎｓｍｉｓｓｉｏｎＴｙｐｅ：ＥＮＵＭＥＲＡＴＥＤ｛ｌｏｃａｌｉｓｅｄ，ｄｉｓｔｒｉｂｕｔｅｄ｝、ｒｅｓｏｕｒｃｅＢｌｏｃｋＡｓｓｉｇｎｍｅｎｔ：ＳＥＱＵＥＮＣＥ｛ｎｕｍｂｅｒＰＲＢ−Ｐａｉｒｓ：ＥＮＵＭＥＲＡＴＥＤ｛ｎ２，ｎ４，ｎ８｝、ｒｅｓｏｕｒｃｅＢｌｏｃｋＡｓｓｉｇｎｍｅｎｔ：ＢＩＴ  ＳＴＲＩＮＧ（ＳＩＺＥ（４．．３８））｝、ｄｍｒｓ−ＳｃｒａｍｂｌｉｎｇＳｅｑｕｅｎｃｅＩｎｔ：ＩＮＴＥＧＥＲ（０．．５０３）、およびｐｕｃｃｈ−ＲｅｓｏｕｒｃｅＳｔａｒｔＯｆｆｓｅｔ：ＩＮＴＥＧＥＲ（０．．２０４７）、および／または他の構成パラメータを備えてもよい。
【００９４】
実施例では、開始シンボルは、認可セルのサブフレームまたは無認可セル（例えば、ＬＡＡセル）の完全サブフレーム内の同一セル上でＥＰＤＣＣＨによってスケジュールされる、任意のＥＰＤＣＣＨおよびＰＤＳＣＨのためのＯＦＤＭ開始シンボルを示してもよい。存在しない場合、ＵＥは、ＰＣＦＩＣＨから、ＥＰＤＣＣＨによってスケジュールされるＥＰＤＣＣＨおよびＰＤＳＣＨの開始ＯＦＤＭシンボルを導出してもよい。実施例では、値１、２、および３は、１０個のリソースブロックを上回るｄｌ−Ｂａｎｄｗｉｄｔｈのために適用可能であり得る。値２、３、および４が、別様に適用可能であり得る。実施例では、Ｅ−ＵＴＲＡＮは、伝送モード１０を用いて構成されるＵＥのためのフィールドを構成しない場合がある。
【００９５】
実施例では、ｓｕｂｆｒａｍｅＰａｔｔｅｒｎＣｏｎｆｉｇというＩＥは、ＬＴＥ技術規格における事前に定義された規則を除いて、ＵＥがＥＰＤＣＣＨ上でＵＥ特有の検索空間を監視し得る、サブフレームを構成してもよい。ｅＰＤＣＣＨは、ｓｕｂｆｒａｍｅＰａｔｔｅｒｎＣｏｎｆｉｇおよび事前に定義された規則によって識別される１つまたはそれを上回るサブフレームの中で伝送されてもよく、他のサブフレームの中で伝送されない場合がある。ＥＰＤＣＣＨが構成されるときにフィールドが構成されない場合、ＵＥは、ＬＴＥ技術規格における事前に定義された規則を除いて、サブフレーム内のＥＰＤＣＣＨ上でＵＥ特有の検索空間を監視してもよい。
【００９６】
実施例では、ｎｕｍｂｅｒＰＲＢ−ＰａｉｒｓというＩＥは、ＥＰＤＣＣＨセットに使用される物理リソースブロックペアの数を示してもよい。例えば、値ｎ２は、２つの物理リソースブロックペアに対応してもよい、ｎ４は、４つの物理リソースブロックペアに対応してもよい等である。値ｎ８は、ｄｌ−Ｂａｎｄｗｉｄｔｈが６つのリソースブロックに設定される場合にサポートされない場合がある。実施例では、ｒｅｓｏｕｒｃｅＢｌｏｃｋＡｓｓｉｇｎｍｅｎｔというＩＥは、技術規格において事前に定義されるＥＰＤＣＣＨセットのための物理リソースブロックペアの具体的組み合わせへのインデックスを示してもよい。ｒｅｓｏｕｒｃｅＢｌｏｃｋＡｓｓｉｇｎｍｅｎｔのサイズは、技術規格において、ｎｕｍｂｅｒＰＲＢ−Ｐａｉｒｓおよびｄｌ−Ｂａｎｄｗｉｄｔｈの信号伝達された値に基づいて、規定されてもよい。
【００９７】
ｄｍｒｓ−ＳｃｒａｍｂｌｉｎｇＳｅｑｕｅｎｃｅＩｎｔというＩＥは、ＤＭＲＳスクランブリングシーケンス初期化パラメータを示してもよい。ｐｕｃｃｈ−ＲｅｓｏｕｒｃｅＳｔａｒｔＯｆｆｓｅｔというＩＥは、ＥＰＤＣＣＨセットのためのオフセットを開始する、ＰＵＣＣＨフォーマットｌａおよびｌｂリソースを示してもよい。ｔｒａｎｓｍｉｓｓｉｏｎＴｙｐｅというＩＥは、分散または局所的ＥＰＤＣＣＨ伝送モードが使用されるかどうかを示してもよい。
【００９８】
例示的実施形態では、無線デバイスは、基地局から、サブフレームのｅＰＤＣＣＨリソースの中のダウンリンク制御情報（ＤＣＩ）を受信してもよい。ＤＣＩは、基地局によって、無線デバイスに割り当てられたＣ−ＲＮＴＩとスクランブリングされてもよい。ＤＣＩは、無線デバイスのための無線リソース（例えば、ＲＢ）を備える、アップリンク許可またはダウンリンク許可を備えてもよい。
【００９９】
サブフレームのＤＣＩがダウンリンク許可を備えるとき、ＵＥは、基地局から、ダウンリンク許可で示される無線リソース内で、サブフレームの中で１つまたはそれを上回るトランスポートブロックを受信してもよい。無線受信機は、１つまたはそれを上回るトランスポートブロックを受信してもよい。無線デバイスは、１つまたはそれを上回るトランスポートブロックを受信することに応答して、１つまたはそれを上回る肯定または否定確認応答を基地局に伝送してもよい。ダウンリンクＤＣＩはさらに、１つまたはそれを上回るトランスポートブロックのためのＭＣＳ、ＭＩＭＯ情報、ＨＡＲＱ情報（ＨＡＲＱプロセスＩＤ、ＲＶ、および／またはＮＤＩ）、および／または同等物を備えてもよい。
【０１００】
サブフレームのＤＣＩがアップリンク許可を備えるとき、ＵＥは、アップリンク許可で示される無線リソース内で、対応するサブフレームの中で１つまたはそれを上回るトランスポートブロックを基地局に伝送してもよい。無線デバイスは、１つまたはそれを上回るトランスポートブロックを基地局に伝送してもよい。無線デバイスは、１つまたはそれを上回るトランスポートブロックを伝送することに応答して、基地局から１つまたはそれを上回る肯定または否定確認応答を受信してもよい。アップリンクＤＣＩはさらに、１つまたはそれを上回るトランスポートブロックのためのＭＣＳ、ＭＩＭＯ情報、ＨＡＲＱ情報（ｈａｒｑプロセスＩＤ、ＲＶ、ＮＤＩ）、電力制御コマンド、および／または同等物を備えてもよい。
【０１０１】
ＬＴＥ−Ａリリース１１および１２では、ｅｐｄｃｃｈ−Ｃｏｎｆｉｇ  ＩＥの中の情報要素ｓｔａｒｔＳｙｍｂｏｌは、同一セル上でＥＰＤＣＣＨによってスケジュールされる任意のＥＰＤＣＣＨおよびＰＤＳＣＨのためのＯＦＤＭ開始シンボルを示す。ｓｔａｒｔＳｙｍｂｏｌが存在しない場合、ＵＥは、ＰＣＦＩＣＨから、ＥＰＤＣＣＨによってスケジュールされるＥＰＤＣＣＨおよびＰＤＳＣＨの開始ＯＦＤＭシンボルを導出してもよい。値１、２、および３は、１０のリソースブロックを上回るｄｌ−Ｂａｎｄｗｉｄｔｈのために適用可能である。値２、３、および４が、別様に適用可能である。Ｅ−ＵＴＲＡＮは、伝送モード１０を用いて構成されるＵＥのためのフィールドを構成しない場合がある。
【０１０２】
ＬＴＥ−Ａリリース１１および１２では、ＥＰＤＣＣＨ開始位置は、ここで説明される機構に従って判定されてもよい。所与のサービングセルに関して、ＵＥが、上位層信号伝達を介して、伝送モード１−９に従ってＰＤＳＣＨデータ伝送を受信するように構成される場合、ＵＥが、上位層パラメータｅｐｄｃｃｈ−ＳｔａｒｔＳｙｍｂｏｌ−ｒ１１を用いて構成されるならば、サブフレーム内の第１のスロットの中でインデックス
【化１】
2019068467.tif 000003
によって与えられるＥＰＤＣＣＨのための開始ＯＦＤＭシンボルは、上位層パラメータから判定される。そうでなければ、サブフレーム内の第１のスロットの中でインデックス
【化２】
2019068467.tif 000004
によって与えられるＥＰＤＣＣＨのための開始ＯＦＤＭシンボルは、
【化３】
2019068467.tif 000005
であるときに、所与のサービングセルのサブフレーム内のＣＦＩ値によって与えられ、
【化４】
2019068467.tif 000006
は、
【化５】
2019068467.tif 000007
であるときに、所与のサービングセルのサブフレーム内のＣＦＩ値＋１によって与えられる。
【０１０３】
所与のサービングセルに関して、ＵＥが、上位層信号伝達を介して、ＥＰＤＣＣＨ−ＰＲＢ−ｓｅｔ毎に伝送モード１０に従ってＰＤＳＣＨデータ伝送を受信するように構成される場合、サブフレームｋの中のＥＰＤＣＣＨを監視するための開始ＯＦＤＭシンボルは、以下のように、上位層（ＲＲＣ）パラメータｐｄｓｃｈ−Ｓｔａｒｔ−ｒ１１から判定される。パラメータｐｄｓｃｈ−Ｓｔａｒｔ−ｒ１１の値が｛１，２，３，４｝に属する場合、
【化６】
2019068467.tif 000008
は、上位層パラメータｐｄｓｃｈ−Ｓｔａｒｔ−ｒ１１によって与えられる。そうでなければ、ｐｄｓｃｈ−Ｓｔａｒｔ−ｒ１１の値がＲＲＣによって提供されないとき、
【化７】
2019068467.tif 000009
は、
【化８】
2019068467.tif 000010
であるときに、所与のサービングセルのサブフレームｋ内のＣＦＩ値によって与えられ、
【化９】
2019068467.tif 000011
は、
【化１０】
2019068467.tif 000012
であるときに、所与のサービングセルのサブフレームｋ内のＣＦＩ値＋１によって与えられる。サブフレームｋが上位層パラメータｍｂｓｆｎ−ＳｕｂｆｒａｍｅＣｏｎｆｉｇＬｉｓｔ−ｒ１１によって示される場合、
【化１１】
2019068467.tif 000013
であり、そうでなければ、
【化１２】
2019068467.tif 000014
である。
【０１０４】
ＬＴＥ−Ａリリース１１および１２では、ｅＰＤＣＣＨ開始シンボルは、ｅｐｄｃｃｈ−ＳｔａｒｔＳｙｍｂｏｌ−ｒ１１、ｐｄｓｃｈ−Ｓｔａｒｔ−ｒ１１、ＣＦＩ値、および／または上記に示される他のパラメータに従って、判定されてもよい。例えば、ｍｂｓｆｎ−ＳｕｂｆｒａｍｅＣｏｎｆｉｇＬｉｓｔ−ｒ１１が構成されるとき、開始シンボルは、上記で説明される構成パラメータおよびいくつかの事前に定義された規則に従って判定されてもよい。
【０１０５】
例示的実施形態では、ｅＰＤＣＣＨリソースの１つまたは２つのセットが、ＬＡＡセル上で構成されてもよい。例示的実施形態では、ＬＡＡセル上で構成されるｅＰＤＣＣＨのための開始シンボルを判定するための機構は、無線リソース利用効率を向上させ、信号伝達オーバーヘッドを低減させるために拡張型機構を採用して、判定されてもよい。例示的実施形態は、部分および完全サブフレーム上のダウンリンク伝送上でｅＰＤＣＣＨの開始シンボルを判定するための機構を提供する。例示的実施形態は、ＬＡＡセル上の無線リソース利用を向上させる。
【０１０６】
物理層チャネル信号伝達を介したサブフレームのｅＰＤＣＣＨ開始シンボルを示す、付加的フィールドの伝送は、物理層オーバーヘッドを増加させ得る。ｅＰＤＣＣＨ開始シンボルを示すための付加的物理層信号伝達は、ダウンリンク信号伝達オーバーヘッドを増加させ得る。対照的に、ＲＲＣメッセージの中のｅＰＤＣＣＨのための開始シンボルフィールドの伝送は、ｅＰＤＣＣＨ開始シンボルの構成のための半静的方法を提供してもよく、ダウンリンク信号伝達オーバーヘッドを低減させ、ｅＰＤＣＣＨの開始シンボルを構成することにおいて要求される融通性を提供してもよい。例示的実施形態では、ｅＮＢは、ｅＰＤＣＣＨの開始シンボルを判定するために採用される開始シンボルフィールド（ＩＥ）を備える、ＲＲＣメッセージを伝送してもよい。例示的実施形態では、本フィールドは、事前に定義された規則に従って、部分および完全サブフレーム内の開始シンボルを判定するために採用されてもよい。開始シンボルフィールドがＲＲＣメッセージに含まれないとき、ｅＮＢは、サブフレーム内のｅＰＤＣＣＨのための開始シンボルを判定する際に、他の信号またはフィールド（例えば、ＣＦＩ、ＰＤＳＣＨ−ｓｔａｒｔおよび／または他のパラメータ）を採用してもよく、ｅＰＤＣＣＨ開始シンボル計算専用の具体的フィールドを規定する必要がなくてもよい。
【０１０７】
例示的実施形態では、ＵＥは、部分サブフレームの開始シンボル（Ｏｆｆｓｅｔ＿Ｓｙｍｂｏｌ）を検出してもよい。開始シンボルは、事前に定義された信号、例えば、初期信号、バーストインジケータ信号／ＰＣＦＩＣＨ、ＣＲＳ、および／または同等物の検出を採用して、判定されてもよい。ＵＥは、（例えば、多くの可能性の間で）既知の信号パターンを復号（例えば、ブラインド復号）し、部分サブフレームの開始シンボルを判定してもよい。サブフレームの開始シンボルは、Ｏｆｆｓｅｔ＿Ｓｙｍｂｏｌと名付けられてもよい。Ｏｆｆｓｅｔ＿Ｓｙｍｂｏｌは、完全サブフレームにはゼロである。開始部分サブフレーム（部分サブフレーム）、完全サブフレーム、および終了部分サブフレームの実施例が、図１０に示されている。
【０１０８】
例示的実施形態では、Ｏｆｆｓｅｔ＿Ｓｙｍｂｏｌは、１つまたはそれを上回る可能な値のうちの１つであってもよい。１つまたはそれを上回る可能な値は、事前に定義されてもよい、またはＬＡＡセルのための１つまたはそれを上回るＲＲＣメッセージによって構成されてもよい。例示的実施形態では、ｅＮＢは、セルの構成パラメータを備える、ＲＲＣメッセージを伝送してもよい。構成パラメータは、サブフレームのための可能な開始シンボル値を示す、１つまたはそれを上回るパラメータを備えてもよい。例えば、構成パラメータは、可能な開始シンボルが（スロット境界において）シンボル０または７であり得ることを示してもよい。例えば、構成パラメータは、可能な開始シンボルがシンボル０であり得ることを示してもよい。
【０１０９】
実施例では、Ｏｆｆｓｅｔ＿Ｓｙｍｂｏｌは、部分サブフレームには７、完全サブフレームには０であってもよい。実施形態は、部分サブフレームを実装することにおいて必要な融通性を提供し、サブフレーム伝送の開始シンボルは、ゼロではない場合がある。例示的実施形態では、サブフレーム内のシンボルは、０〜１３の番号を付けられてもよい（図２の実施例を参照）。例えば、第１のシンボルは、シンボル０である、第２のシンボルは、シンボル１である、等である。実施例では、スロット内のシンボルは、０〜６の番号を付けられてもよい。サブフレームは、第１のスロットと、第２のスロットとを備えてもよい（図２の実施例を参照）。
【０１１０】
例示的実施形態は、部分サブフレームおよび完全サブフレームのための開始シンボルを判定するための機構を提供する。例示的制御チャネルマッピングが、以下に提供される。同一のリソース要素マッピングをもたらす、異なる式を使用する、他の同等の機構が実装されてもよい。
【０１１１】
例示的実施形態では、１つのＳｔａｒｔＳｙｍｂｏｌ  ＩＥが、セルのｅＰＤＣＣＨのために構成されてもよい。完全サブフレーム内で、ｅＰＤＣＣＨ開始シンボルは、ＳｔａｒｔＳｙｍｂｏｌ  ＩＥの値であってもよい。部分サブフレーム内で、ｅＰＤＣＣＨ開始シンボルは、ＳｔａｒｔＳｙｍｂｏｌ  ＩＥ＋Ｏｆｆｓｅｔ＿Ｓｙｍｂｏｌの値であってもよい。ＵＥは、受信された信号の復号（例えば、ブランド復号）を採用し、かつＲＲＣ信号伝達を採用して（ＲＲＣメッセージ内のフィールドを使用して）、Ｏｆｆｓｅｔ＿ｓｙｍｂｏｌを検出してもよい。例示的実施形態では、ｅＰＤＣＣＨの最大２つのセットが、構成されてもよい。同一のＳｔａｒｔＳｙｍｂｏｌ  ＩＥが、ｅＰＤＣＣＨの１つまたは２つのセットに適用可能であり得、１つまたは２つのセットは、同一の開始シンボルを有してもよい。１つまたは２つのセットに適用可能な開始シンボルは、ｅＰＤＣＣＨが完全サブフレームまたは部分サブフレームの中で伝送されるかどうかに応じて判定されてもよい。完全および部分サブフレーム内の例示的ｅＰＤＣＣＨ構成が、図１１に示されている。部分および完全サブフレームおよびｅＰＤＣＣＨの１つまたは２つのセットの両方のためのｅＰＤＣＣＨ開始シンボルを判定するための１つのＳｔａｒｔＳｙｍｂｏｌ  ＩＥの伝送は、（２つまたはそれを上回るＳｔａｒｔＳｙｍｂｏｌ  ＩＥを伝送することと比較して）ＲＲＣメッセージのサイズを縮小する。例示的実施形態は、ダウンリンク信号伝達オーバーヘッドを低減させる。
【０１１２】
実施例では、少なくとも１つのＲＲＣメッセージの中のパラメータは、ＬＡＡセル内のダウンリンク伝送バーストのサブフレームの中の伝送の可能な開始位置を示してもよい。開始位置は、確保信号ではなく、ダウンリンクデータ／制御信号伝送に適用可能であり得る。例えば、パラメータの第１の値は、開始位置がサブフレーム境界であることを示してもよく、パラメータの第２の値は、開始位置がサブフレーム境界またはスロット境界（サブフレームの第１または第２のスロットの開始）のいずれかであることを示してもよい。確保信号は、基地局実装に応じて、任意の時点で開始してもよい。
【０１１３】
例示的実施形態では、所与のサービングセルに関して、ＵＥが、上位層信号伝達を介して、伝送モード１−９に従ってＰＤＳＣＨデータ伝送を受信するように構成される場合、ＵＥが、（ＲＲＣメッセージの中の）上位層パラメータｅｐｄｃｃｈ−ＳｔａｒｔＳｙｍｂｏｌを用いて構成されるならば、インデックス
【化１３】
2019068467.tif 000015
によって与えられるＥＰＤＣＣＨのための開始ＯＦＤＭシンボルは、上位層パラメータから判定され、そうでなければ、インデックス
【化１４】
2019068467.tif 000016
によって与えられるＥＰＤＣＣＨのための開始ＯＦＤＭシンボルは、
【化１５】
2019068467.tif 000017
であるときに、所与のサービングセルのサブフレーム内のＣＦＩ（制御フォーマットインジケータ）値によって与えられ、
【化１６】
2019068467.tif 000018
は、
【化１７】
2019068467.tif 000019
であるときに、所与のサービングセルのサブフレーム内のＣＦＩ値＋１によって与えられる。実施例では、初期部分サブフレーム内で、ｅＰＤＣＣＨのための
【化１８】
2019068467.tif 000020
は、Ｏｆｆｓｅｔ＿Ｓｙｍｂｏｌ  ＯＦＤＭシンボル、例えば、７つのシンボルによってオフセットされてもよい（または同等に、
【化１９】
2019068467.tif 000021
は、第２のスロットに適用可能であり得る）。完全サブフレーム内で、ｅＰＤＣＣＨのための
【化２０】
2019068467.tif 000022
は、第１のスロットに適用可能であり得る。
【０１１４】
所与のサービングセルに関して、ＵＥが、上位層信号伝達を介して、ＥＰＤＣＣＨ−ＰＲＢ−ｓｅｔ毎に伝送モード１０に従ってＰＤＳＣＨデータ伝送を受信するように構成される場合、サブフレームｋの中のＥＰＤＣＣＨを監視するための開始ＯＦＤＭシンボルは、以下のように、上位層パラメータｐｄｓｃｈ−Ｓｔａｒｔから判定される。パラメータｐｄｓｃｈ−Ｓｔａｒｔの値が｛１，２，３，４｝に属する場合、
【化２１】
2019068467.tif 000023
は、上位層パラメータｐｄｓｃｈ−Ｓｔａｒｔによって与えられ、そうでなければ、
【化２２】
2019068467.tif 000024
は、
【化２３】
2019068467.tif 000025
であるときに、所与のサービングセルのサブフレームｋ内のＣＦＩ値によって与えられ、
【化２４】
2019068467.tif 000026
は、
【化２５】
2019068467.tif 000027
であるときに、所与のサービングセルのサブフレームｋ内のＣＦＩ値＋１によって与えられる。実施例では、初期部分サブフレーム内で、ｅＰＤＣＣＨのための
【化２６】
2019068467.tif 000028
は、Ｏｆｆｓｅｔ＿ｓｙｍｂｏｌ  ＯＦＤＭシンボル、例えば、７つのシンボルによってオフセットされてもよい。サブフレームｋが上位層パラメータｍｂｓｆｎ−ＳｕｂｆｒａｍｅＣｏｎｆｉｇＬｉｓｔによって示される場合、またはサブフレームｋがフレーム構造タイプ２にはサブフレーム１または６である場合、
【化２７】
2019068467.tif 000029
であり、そうでなければ、
【化２８】
2019068467.tif 000030
である。実施例では、初期部分サブフレーム内で、ｅＰＤＣＣＨのための
【化２９】
2019068467.tif 000031
は、Ｏｆｆｓｅｔ＿ｓｙｍｂｏｌ  ＯＦＤＭシンボル、例えば、７つのシンボルによってオフセットされてもよい（または同等に、
【化３０】
2019068467.tif 000032
は、第２のスロットに適用可能であり得る）。完全サブフレーム内で、ｅＰＤＣＣＨのための
【化３１】
2019068467.tif 000033
は、第１のスロットに適用可能であり得る。ｐｄｓｃｈ−ＳｔａｒｔというＩＥは、セルのためのＰＤＳＣＨの開始ＯＦＤＭシンボルを示してもよい。実施例では、値１、２、３は、関係しているＳセルのためのｄｌ−Ｂａｎｄｗｉｄｔｈが１０個のリソースブロックを上回るときに適用可能であり得、値２、３、４は、関係しているＳセルのためのｄｌ−Ｂａｎｄｗｉｄｔｈが１０個のリソースブロック未満またはそれに等しいときに適用可能であり得る。
【０１１５】
例示的実施形態では、無線デバイスは、サブフレームの中で制御フォーマットインジケータを受信してもよい。無線デバイスは、サブフレームの中で拡張型物理ダウンリンク制御チャネル（ｅＰＤＣＣＨ）信号を受信してもよい。ｅＰＤＣＣＨは、サブフレームが完全サブフレームであるときに、制御フォーマットインジケータに基づいて判定されるｅＰＤＣＣＨ開始シンボルから開始してもよい。ｅＰＤＣＣＨ開始シンボルは、ＣＦＩ値およびチャネル帯域幅を使用して計算される。ｅＰＤＣＣＨは、サブフレームが部分サブフレームであるときに、オフセット値を加えた開始シンボルから開始する。例えば、ｅＰＤＣＣＨ開始シンボルは、完全サブフレームの中で
【化３２】
2019068467.tif 000034
であるときに、ＣＦＩ値によって与えられてもよい。ｅＰＤＣＣＨ開始シンボルは、部分サブフレームの中で
【化３３】
2019068467.tif 000035
であるときに、ＣＦＩ値＋ｏｆｆｓｅｔ＿ｖａｌｕｅによって与えられてもよい。サブフレームがＭＢＳＦＮサブフレームであるとき、最小ｅＰＤＣＣＨ開始シンボルは、完全サブフレームには２、部分サブフレームには２＋ｏｆｆｓｅｔ＿ｖａｌｕｅであってもよい。
【０１１６】
例示的実施形態では、（例えば、伝送モード１０で動作する）無線デバイスは、物理ダウンリンク共有チャネル（ＰＤＳＣＨ）のための開始シンボルを示すフィールドを備える、少なくとも１つの無線リソース制御（ＲＲＣ）メッセージを受信してもよい。無線デバイスは、サブフレームの中で拡張型物理ダウンリンク制御チャネル（ｅＰＤＣＣＨ）信号を受信してもよい。ｅＰＤＣＣＨは、サブフレームが完全サブフレームであるときに、ＰＤＳＣＨのための開始シンボルに基づいて判定されるｅＰＤＣＣＨ開始シンボルから開始してもよい。ｅＰＤＣＣＨは、サブフレームが部分サブフレームであるときに、オフセット値を加えたｅＰＤＣＣＨ開始シンボルから開始してもよい。例えば、パラメータｐｄｓｃｈ−Ｓｔａｒｔ−ｒ１１の値が｛１，２，３，４｝に属する場合、ｅＰＤＣＣＨ開始シンボルは、完全サブフレームについては上位層パラメータｐｄｓｃｈ−Ｓｔａｒｔ−ｒ１１によって与えられる。パラメータｐｄｓｃｈ−Ｓｔａｒｔ−ｒ１１の値が｛１，２，３，４｝に属する場合、ｅＰＤＣＣＨ開始シンボルは、部分サブフレームについては上位層パラメータｐｄｓｃｈ−Ｓｔａｒｔ−ｒ１１＋Ｏｆｆｓｅｔ＿ｖａｌｕｅによって与えられる。サブフレームがＭＢＳＦＮサブフレームであるとき、最小ｅＰＤＣＣＨ開始シンボルは、完全サブフレームには２、部分サブフレームには２＋ｏｆｆｓｅｔ＿ｖａｌｕｅであってもよい。
【０１１７】
サービングセルがＬＡＡ  Ｓセルである場合、かつＲＲＣの中のパラメータがサブフレームを示す場合、部分サブフレームのための開始位置は、サブフレームの第１のスロット内で開始するＥＰＤＣＣＨ候補を監視するために、７（Ｏｆｆｓｅｔ＿ｓｙｍｂｏｌ）であってもよく、ＥＰＤＣＣＨのための開始ＯＦＤＭシンボルは、サブフレームの中の第１のスロット内のインデックス
【化３４】
2019068467.tif 000036
によって与えられ、サブフレームの第２のスロット内で開始するＥＰＤＣＣＨ候補を監視するために、ＥＰＤＣＣＨのための開始ＯＦＤＭシンボルは、サブフレーム内のインデックス
【化３５】
2019068467.tif 000037
によって与えられる（または同等にサブフレームの中の第２のスロット内の
【化３６】
2019068467.tif 000038
と同等）。開始シンボルは、部分サブフレームの中でＯｆｆｓｅｔ＿ｓｙｍｂｏｌ＝７によってオフセットされる。
【０１１８】
実施例では、（ｅＰＤＣＣＨ  ＲＢ内の）ｅＰＤＣＣＨリソースマッピングは、ＬＡＡセルの完全（通常）サブフレームのための第１のスロットのｅＰＤＣＣＨ開始シンボルから開始してもよい。実施例では、初期部分サブフレーム内で、ｅＰＤＣＣＨのためのｅＰＤＣＣＨ開始シンボルは、構成された場合、加えて、Ｏｆｆｓｅｔ＿Ｓｙｍｂｏｌ  ＯＦＤＭシンボル、例えば、７つのシンボルによってオフセットされてもよい。実施例では、（ｅＰＤＣＣＨ  ＲＢ内の）ｅＰＤＣＣＨリソースマッピングは、ＬＡＡセルの部分サブフレームのための第２のスロットのｅＰＤＣＣＨ開始シンボルから開始してもよい。初期部分サブフレーム内で、ｅＰＤＣＣＨのためのｅＰＤＣＣＨ開始シンボルは、構成された場合、シンボルＯｆｆｓｅｔ＿ｓｙｍｂｏｌ＋サブフレームの開始シンボルにおいて開始してもよい。実施例では、ＥＰＤＣＣＨのための利用可能なリソース要素の数は、初期部分サブフレーム内のＥＰＤＣＣＨ伝送のための利用可能なＲＥの実際の数であってもよい。
【０１１９】
ＣＦＩは、値ＣＦＩ＝１、２、または３をとる。システム帯域幅
【化３７】
2019068467.tif 000039
に関して、ＯＦＤＭシンボルの単位でＰＤＣＣＨによって搬送されるＤＣＩのスパン、すなわち１、２、または３は、ＣＦＩによって与えられる（例えば、スパン３シンボルは、シンボル番号０、１、２を含む）。システム帯域幅
【化３８】
2019068467.tif 000040
に関して、ＯＦＤＭシンボルの単位でＰＤＣＣＨによって搬送されるＤＣＩのスパン、すなわち２、３、または４は、ＣＦＩ＋１によって与えられる。
【０１２０】
所与のサービングセルに関して、ＵＥが、上位層信号伝達を介して、伝送モード１−９に従ってＰＤＳＣＨデータ伝送を受信するように構成される場合、ＳｔａｒｔＳｙｍｂｏｌ  ＩＥが構成されないとき、ｅＰＤＣＣＨのＳｔａｒｔＳｙｍｂｏｌは、ＣＦＩまたは他のパラメータに依存し得る。
【０１２１】
例示的実施形態では、完全サブフレーム内で、ＣＦＩ値が０を上回るとき、サブフレーム内の第１のスロットの中でインデックス
【化３９】
2019068467.tif 000041
によって与えられるＥＰＤＣＣＨのための開始ＯＦＤＭシンボルは、
【化４０】
2019068467.tif 000042
であるときに、所与のサービングセルのサブフレーム内のＣＦＩ値によって与えられ、
【化４１】
2019068467.tif 000043
は、
【化４２】
2019068467.tif 000044
であるときに、所与のサービングセルのサブフレーム内のＣＦＩ値＋１によって与えられる。これは、ｅＰＤＣＣＨが完全サブフレームの中で伝送される場合に当てはまる。
【０１２２】
例示的実施形態では、部分サブフレーム内で、ＣＦＩ値が０を上回るとき、サブフレーム内でインデックス
【化４３】
2019068467.tif 000045
によって与えられるＥＰＤＣＣＨのための開始ＯＦＤＭシンボルは、
【化４４】
2019068467.tif 000046
であるときに、所与のサービングセルのサブフレーム内のＣＦＩ＋Ｏｆｆｓｅｔ＿ｓｙｍｂｏｌ値によって与えられ、
【化４５】
2019068467.tif 000047
は、
【化４６】
2019068467.tif 000048
であるときに、所与のサービングセルのサブフレーム内のＣＦＩ値＋１＋Ｏｆｆｓｅｔ＿ｓｙｍｂｏｌによって与えられる。これは、ｅＰＤＣＣＨが部分サブフレームの中で構成される場合に当てはまる。
【０１２３】
サービングセルでは、サブフレームｋが（ＰＨＹまたはＲＲＣ層信号伝達によって）ＭＢＳＦＮサブフレームとして示される場合、またはサブフレームｋがフレーム構造タイプ２にはサブフレーム１または６である場合、
【化４７】
2019068467.tif 000049
である。ｅＰＤＣＣＨ開始位置は、２より小さくない場合がある。
【０１２４】
例示的実施形態では、ＬＡＡサービングセル内で、サブフレームｋが（例えば、上位層パラメータｍｂｓｆｎ−ＳｕｂｆｒａｍｅＣｏｎｆｉｇＬｉｓｔ−ｒ１１による、ＰＨＹまたはＲＲＣ層信号伝達によって）ＭＢＳＦＮサブフレームとして示される場合、
【化４８】
2019068467.tif 000050
であり、ｋ＝１またはｋ＝２である。ｅＰＤＣＣＨ開始位置は、Ｏｆｆｓｅｔ＿ｓｙｍｂｏｌ＋１またはＯｆｆｓｅｔ＿ｓｙｍｂｏｌ＋２であってもよい。実施例では、最初の１つまたはそれを上回るシンボルは、バーストインジケータ、初期信号、またはサブフレーム／バースト構成についての情報を搬送する他の物理層信号等の物理信号の伝送に採用されてもよい。開始シンボルがＯｆｆｓｅｔ＿ｓｙｍｂｏｌ＋１であるとき、シンボルＯｆｆｓｅｔ＿ｓｙｍｂｏｌは、物理的な少なくとも１つの信号／チャネルの伝送に使用されてもよい。
【０１２５】
例示的実施形態では、ＬＡＡサービングセル内で、サブフレームｋがサブフレーム１または６である場合、
【化４９】
2019068467.tif 000051
であり、ｋ＝１またはｋ＝２である。実施例では、ＵＥ実装ｋは、１であってもよい。別の実施例では、ＵＥ実装ｋは、２であってもよい。ｅＰＤＣＣＨ開始位置は、ＵＥ実装によると、Ｏｆｆｓｅｔ＿ｓｙｍｂｏｌ＋１またはＯｆｆｓｅｔ＿ｓｙｍｂｏｌ＋２であってもよい。最初の１つまたはそれを上回るシンボルは、バーストインジケータ、初期信号、またはサブフレーム／バースト構成についての情報を搬送する他の物理層信号等の物理信号の伝送に採用されてもよい。
【０１２６】
例示的実施形態では、無線デバイスは、拡張型物理ダウンリンク制御チャネル（ｅＰＤＣＣＨ）のための開始シンボルを示すフィールドを備える、少なくとも１つの無線リソース制御（ＲＲＣ）メッセージを受信してもよい。無線デバイスは、サブフレームの中でｅＰＤＣＣＨ信号を受信してもよい。ｅＰＤＣＣＨは、サブフレームが完全サブフレームであるときに、開始シンボルから開始してもよい。ｅＰＤＣＣＨは、サブフレームが部分サブフレームであるときに、オフセット値を加えた開始シンボルから開始してもよい。
【０１２７】
基地局は、拡張型物理ダウンリンク制御チャネル（ｅＰＤＣＣＨ）のための開始シンボルを示すフィールドを備える、少なくとも１つの無線リソース制御（ＲＲＣ）メッセージを伝送してもよい。基地局は、サブフレームの中でｅＰＤＣＣＨ信号を伝送してもよい。ｅＰＤＣＣＨは、サブフレームが完全サブフレームであるときに、開始シンボルから開始してもよい。ｅＰＤＣＣＨは、サブフレームが部分サブフレームであるときに、オフセット値を加えた開始シンボルから開始してもよい。
【０１２８】
少なくとも１つのＲＲＣメッセージはさらに、セルの構成パラメータを備えてもよい。セルは、認可支援アクセス（ＬＡＡ）セルであってもよい。少なくとも１つのＲＲＣメッセージはさらに、ｅＰＤＣＣＨのためのリソースブロック（ＲＢ）を示す１つまたはそれを上回るパラメータを備える、構成パラメータを備えてもよい。少なくとも１つまたはそれを上回るパラメータは、ＲＢペアの１つまたは２つのセットを示す。開始シンボルを示すフィールドは、ＲＢペアの１つまたは２つのセットに適用可能であり得る。少なくとも１つまたはそれを上回るパラメータは、いくつかのＲＢペアを示す、第１のパラメータと、ＲＢ割当を識別するインデックスを示す、第２のパラメータとを備えてもよい。少なくとも１つのＲＲＣメッセージはさらに、１つまたはそれを上回るサブフレームを備えるサブフレームパターンを示す、少なくとも１つの第２のパラメータを備えてもよく、１つまたはそれを上回るサブフレームは、サブフレームを備える。無線デバイスは、基地局から、ｅＰＤＣＣＨの中で受信されるダウンリンク許可を採用するＰＤＳＣＨの中で、１つまたはそれを上回るダウンリンクトランスポートブロックを受信してもよい。
【０１２９】
少なくとも１つのＲＲＣメッセージはさらに、サブフレームの中の伝送の１つまたはそれを上回る可能な開始位置を示す、パラメータを備えてもよく、パラメータは、オフセット値を判定するために無線デバイスによって採用される。実施例では、オフセット値は、７である。部分サブフレームは、オフセット値によって示されるシンボルから開始してもよい。サブフレームは、時間の中で２つのスロットを備えてもよい。スロットは、複数のシンボルを備える。
【０１３０】
無線デバイスは、サブフレームが完全サブフレームまたは部分サブフレームであるかどうかを検出してもよい。無線デバイスは、サブフレームの中で物理ダウンリンク共有チャネル（ＰＤＳＣＨ）を受信してもよい。開始シンボルはさらに、サブフレームの中のＰＤＳＣＨ開始シンボルを判定するために採用されてもよい。ＰＤＳＣＨは、サブフレームが完全サブフレームであるときに、開始シンボルから開始してもよい。ＰＤＳＣＨは、サブフレームが部分サブフレームであるときに、オフセット値を加えた開始シンボルから開始してもよい。
【０１３１】
例示的実施形態では、ＭＢＳＦＮは、１つまたはそれを上回るＲＲＣメッセージを採用して構成されてもよい。ｍｂｓｆｎ−ＳｕｂｆｒａｍｅＣｏｎｆｉｇＬｉｓｔ−ｒ１１というＩＥは、ｓｕｂｆｒａｍｅＣｏｎｆｉｇＬｉｓｔ：ＭＢＳＦＮ−ＳｕｂｆｒａｍｅＣｏｎｆｉｇＬｉｓｔを備えてもよい。
【０１３２】
実施例では、ＭＢＳＦＮ−ＳｕｂｆｒａｍｅＣｏｎｆｉｇＬｉｓｔは、ＳＥＱＵＥＮＣＥ（ＳＩＺＥ（１．．ｍａｘＭＢＳＦＮ−Ａｌｌｏｃａｔｉｏｎｓ））ＯＦ  ＭＢＳＦＮ−ＳｕｂｆｒａｍｅＣｏｎｆｉｇであってもよい。ＭＢＳＦＮ−ＳｕｂｆｒａｍｅＣｏｎｆｉｇというＩＥは、ダウンリンクにおいてＭＢＳＦＮのために確保されるサブフレームを定義してもよい。例えば、ＭＢＳＦＮ−ＳｕｂｆｒａｍｅＣｏｎｆｉｇというＩＥは、ＳＥＱＵＥＮＣＥ｛ｒａｄｉｏｆｒａｍｅＡｌｌｏｃａｔｉｏｎＰｅｒｉｏｄ：ＥＮＵＭＥＲＡＴＥＤ｛ｎ１，ｎ２，ｎ４，ｎ８，ｎ１６，ｎ３２｝、ｒａｄｉｏｆｒａｍｅＡｌｌｏｃａｔｉｏｎＯｆｆｓｅｔ：ＩＮＴＥＧＥＲ（０．．７）、ｓｕｂｆｒａｍｅＡｌｌｏｃａｔｉｏｎ：ＣＨＯＩＣＥ｛ｏｎｅＦｒａｍｅ：ＢＩＴＳＴＲＩＮＧ（ＳＩＺＥ（６））、ｆｏｕｒＦｒａｍｅｓ：ＢＩＴＳＴＲＩＮＧ（ＳＩＺＥ（２４））｝であってもよい。
【０１３３】
実施例では、ｆｏｕｒＦｒａｍｅｓというＩＥは、４つの連続無線フレームの中のＭＢＳＦＮサブフレーム配分を示すビットマップであってもよく、「１」は、対応するサブフレームがＭＢＳＦＮのために配分されることを表してもよい。ビットマップは、以下のように解釈されてもよい。ＦＤＤ：第１の無線フレームから、およびビットマップ内の第１の／最左ビットから始まり、配分は、４つの無線フレームのシーケンスの中のサブフレーム＃１、＃２、＃３、＃６、＃７、および＃８に適用されてもよい。ＴＤＤ：第１の無線フレームから、およびビットマップ内の第１の／最左ビットから始まり、配分は、４つの無線フレームのシーケンスの中のサブフレーム＃３、＃４、＃７、＃８、および＃９に適用されてもよい。最後の４つのビットは、使用されない場合がある。アップリンクサブフレームは、フィールドｅｉｍｔａ−ＭａｉｎＣｏｎｆｉｇ−ｒ１２が構成されない限り、配分されない場合がある。
【０１３４】
実施例では、ｏｎｅＦｒａｍｅというＩＥは、１つの無線フレームの中のＭＢＳＦＮサブフレーム配分を示す、ビットマップであってもよい。「１」は、対応するサブフレームがＭＢＳＦＮのために配分されることを表してもよい。以下のマッピングが、適用されてもよい。ＦＤＤ：第１の／最左ビットは、サブフレーム＃１のためのＭＢＳＦＮ配分を定義し、第２のビットは＃２、第３のビットは＃３、第４のビットは＃６、第５のビットは＃７、第６のビットは＃８のために定義する。ＴＤＤ：第１の／最左ビットは、サブフレーム＃３のための配分を定義し、第２のビットは＃４、第３のビットは＃７、第４のビットは＃８、第５のビットは＃９のために定義してもよい。アップリンクサブフレームは、フィールドｅｉｍｔａ−ＭａｉｎＣｏｎｆｉｇ−ｒ１２が構成されない限り、配分されない場合がある。最後のビットは、使用されない場合がある。
【０１３５】
実施例では、ｒａｄｉｏＦｒａｍｅＡｌｌｏｃａｔｉｏｎＰｅｒｉｏｄ、ｒａｄｉｏＦｒａｍｅＡｌｌｏｃａｔｉｏｎＯｆｆｓｅｔというＩＥが、構成されてもよい。ＭＢＳＦＮサブフレームを含有する無線フレームは、方程式ＳＦＮ  ｍｏｄ  ｒａｄｉｏＦｒａｍｅＡｌｌｏｃａｔｉｏｎＰｅｒｉｏｄ＝ｒａｄｉｏＦｒａｍｅＡｌｌｏｃａｔｉｏｎＯｆｆｓｅｔが満たされるときに生じてもよい。ｒａｄｉｏｆｒａｍｅＡｌｌｏｃａｔｉｏｎＰｅｒｉｏｄのための値ｎ１は、値１を表してもよい、ｎ２は、値２を表してもよい、等である。ｆｏｕｒＦｒａｍｅｓがＳｕｂｆｒａｍｅＡｌｌｏｃａｔｉｏｎに使用されるとき、方程式は、以下の説明で参照される第１の無線フレームを定義してもよい。値ｎ１およびｎ２は、ｆｏｕｒＦｒａｍｅｓが使用されるときに適用可能ではない場合がある。
【０１３６】
実施例では、ＳｕｂｆｒａｍｅＡｌｌｏｃａｔｉｏｎというＩＥは、ｒａｄｉｏＦｒａｍｅＡｌｌｏｃａｔｉｏｎＰｅｒｉｏｄおよびｒａｄｉｏＦｒａｍｅＡｌｌｏｃａｔｉｏｎＯｆｆｓｅｔによって定義される無線フレーム配分周期内でＭＢＳＦＮのために配分される、サブフレームを定義してもよい。
【０１３７】
本明細書では、「ａ」および「ａｎ」および類似語句は、「少なくとも１つ」および「１つまたはそれを上回る」として解釈されるものである。本明細書では、用語「ｍａｙ（〜してもよい）」は、「ｍａｙ，  ｆｏｒ  ｅｘａｍｐｌｅ（例えば、〜してもよい）」として解釈されるものである。換言すると、用語「ｍａｙ（〜してもよい）」は、用語「ｍａｙ（〜してもよい）」に続く語句が、種々の実施形態のうちの１つまたはそれを上回るものに採用される場合もあり、されない場合もある、多数の好適な可能性のうちの１つの実施例であることを示す。ＡおよびＢがセットであり、Ａの全要素がＢの要素でもある場合、Ａは、Ｂのサブセットと呼ばれる。本明細書では、非空のセットおよびサブセットのみが、考慮される。例えば、Ｂ＝｛セル１、セル２｝の可能性として考えられるサブセットは、｛セル１｝、｛セル２｝、および｛セル１、セル２｝である。
【０１３８】
本明細書では、パラメータ（情報要素：ＩＥ）は、１つまたはそれを上回るオブジェクトを含んでもよく、それらのオブジェクトはそれぞれ、１つまたはそれを上回る他のオブジェクトを含んでもよい。例えば、パラメータ（ＩＥ）Ｎが、パラメータ（ＩＥ）Ｍを含み、パラメータ（ＩＥ）Ｍが、パラメータ（ＩＥ）Ｋを含み、パラメータ（ＩＥ）Ｋが、パラメータ（情報要素）Ｊを含む場合には、例えば、Ｎは、Ｋを含み、Ｎは、Ｊを含む。例示的実施形態では、１つまたはそれを上回るメッセージが、複数のパラメータを含むとき、複数のパラメータの中のパラメータは、１つまたはそれを上回るメッセージのうちの少なくとも１つの中に存在するが、１つまたはそれを上回るメッセージのそれぞれの中に存在する必要はないことを含意する。
【０１３９】
開示される実施形態に説明される要素の多くは、モジュールとして実装されてもよい。モジュールは、定義された機能を果たし、他の要素への定義されたインターフェースを有する、隔離可能要素として本明細書で定義される。本開示に説明されるモジュールは、ハードウェア、ハードウェア、ファームウェア、ウエットウエア（すなわち、生物学的要素を伴うハードウェア）と組み合わせたソフトウェア、またはそれらの組み合わせにおいて実装されてもよく、それらは全て、挙動的均等物である。例えば、モジュールは、ハードウェアマシン（Ｃ、Ｃ＋＋、Ｆｏｒｔｒａｎ、Ｊａｖａ（登録商標）、ＢＡＳＩＣ、Ｍａｔｌａｂ、または同等物等）またはＳｉｍｕｌｉｎｋ、Ｓｔａｔｅｆｌｏｗ、ＧＮＵ  Ｏｃｔａｖｅ、またはＬａｂＶＩＥＷＭａｔｈＳｃｒｉｐｔ等のモデル化／シミュレーションプログラムによって実行されるように構成される、コンピュータ言語で書かれたソフトウェアルーチンとして実装されてもよい。加えて、離散またはプログラマブルアナログ、デジタル、および／または量子ハードウェアを組み込む物理ハードウェアを使用して、モジュールを実装することが可能であり得る。プログラマブルハードウェアの実施例は、コンピュータ、マイクロコントローラ、マイクロプロセッサ、特定用途向け集積回路（ＡＳＩＣｓ）、フィールドプログラマブルゲートアレイ（ＦＰＧＡＳ）、および複合プログラマブル論理デバイス（ＣＰＬＤ）を備える。コンピュータ、マイクロコントローラ、およびマイクロプロセッサは、アセンブリ、Ｃ、Ｃ＋＋、または同等物等の言語を使用してプログラムされる。ＦＰＧＡＳ、ＡＳＩＣ、およびＣＰＬＤは、多くの場合、プログラマブルデバイス上のより少ない機能性を用いて内部ハードウェアモジュール間の接続を構成する、ＶＨＳＩＣハードウェア記述言語（ＶＨＤＬ）またはＶｅｒｉｌｏｇ等のハードウェア記述言語（ＨＤＬ）を使用してプログラムされる。最後に、上記の技術は、多くの場合、機能モジュールの結果を達成するために組み合わせて使用されることを強調する必要がある。
【０１４０】
本特許文書の開示は、著作権保護を受ける内容を組み込む。著作権所有者は、特許文書または特許開示書のいずれか１つによるファクシミリ複写物には、法律によって要求される限定された目的のために、複写物が特許商標庁の特許ファイルまたは記録として世に出現している限り異論はないが、他の場合に全ての著作権を完全に留保する。
【０１４１】
種々の実施形態が上記で説明されているが、それらは、限定ではなく、実施例として提示されていることを理解されたい。形態および詳細の種々の変更が、精神および範囲から逸脱することなく本明細書で行われ得ることが、当業者に明白となるであろう。実際、上記の説明を熟読後、代替実施形態を実装する方法が、当業者に明白となるであろう。したがって、本実施形態は、上記の例示的実施形態のうちのいずれかによって限定されるべきではない。具体的には、例示的目的のために、上記の説明は、ＦＤＤ通信システムを使用する実施例に焦点を当てていることに留意されたい。しかしながら、当業者は、本発明の実施形態がまた、１つまたはそれを上回るＴＤＤセルを備えるシステム（例えば、フレーム構造２および／またはフレーム構造３認可支援アクセス）で実装され得ることを認識するであろう。開示される方法およびシステムは、無線または有線システムで実装されてもよい。本発明で提示される種々の実施形態の特徴は、組み合わせられてもよい。一実施形態の１つまたは多くの特徴（方法またはシステム）は、他の実施形態で実装されてもよい。限定数の例示的組み合わせのみが、強化伝送および受信システムおよび方法を作成するように種々の実施形態で組み合わせられ得る、特徴の可能性を当業者に示すために示される。
【０１４２】
加えて、機能性および利点を強調している任意の図が、例示目的のためのみに提示されていることを理解されたい。開示されるアーキテクチャは、示されるもの以外の方法で利用され得るように、十分に柔軟かつ構成可能である。例えば、任意のフローチャートに列挙されるアクションは、いくつかの実施形態では、並べ替えられてもよい、または随意にのみ使用されてもよい。
【０１４３】
さらに、本開示の要約の目的は、米国特許商標庁および一般公衆、特に、特許または法律の用語または表現に精通していない科学者、技術者、および開業医が、本願の技術的開示の性質および本質を大まかに調べることによって、素早く判断することを可能にすることである。本開示の要約は、いかようにも範囲に関して限定的であることを意図していない。
【０１４４】
最後に、「〜するための手段（ｍｅａｎｓ  ｆｏｒ）」または「〜するためのステップ（ｓｔｅｐ  ｆｏｒ）」という表現用語を含む請求項のみが、米国特許法（３５Ｕ．Ｓ．Ｃ）第１１２条第６段落の下で解釈されることは、本出願人の意図である。「〜するための手段（ｍｅａｎｓ  ｆｏｒ）」または「〜するためのステップ（ｓｔｅｐ  ｆｏｒ）」という語句を明示的に含まない請求項は、米国特許法（３５Ｕ．Ｓ．Ｃ）第１１２条の下で解釈されないものである。
【図１】
2019068467.tif 000052
【図２】
2019068467.tif 000053
【図３】
2019068467.tif 000054
【図４】
2019068467.tif 000055
【図５】
2019068467.tif 000056
【図６】
2019068467.tif 000057
【図７】
2019068467.tif 000058
【図８】
2019068467.tif 000059
【図９】
2019068467.tif 000060
【図１０】
2019068467.tif 000061
【図１１】
2019068467.tif 000062